(57)【要約】  ネットワークが提供する情報に基づいて、ユーザが希望する番組の視聴を促すあるいは番組を録画する電子機器、情報配信システム、情報配信方法及びプログラムを提供する。  実施形態の電子機器は、検索条件保持手段と、検索する手段と、リスト保持手段と、を具備する。検索条件保持手段は、録画機能を有する機器提示する検索条件を保持する。検索する手段は、前記検索条件保持部が保持する前記検索条件に基づいて、自動録画の対象とするコンテンツを検索する。リスト保持手段は、前記検索手段による検索結果とアップロード部からの予約情報とに基づいたコンテンツリストを、リスト取得手段による前記自動録画のための予約リストとして取得可能に保持する。
2014136273.tif 000002
【特許請求の範囲】
【請求項１】
録画機能を有する機器が提示する検索条件を保持する検索条件保持手段と、
前記検索条件保持部が保持する前記検索条件に基づいて、自動録画の対象とするコンテンツを検索する手段と、
前記検索手段による検索結果とアップロード部からの予約情報とに基づいたコンテンツリストを、リスト取得手段による前記自動録画のための予約リストとして取得可能に保持するリスト保持手段と、
を具備する電子機器。
【請求項２】
前記検索する手段は、前記検索条件保持手段が保持する前記検索条件に基づいて、対象となるコンテンツを検索する請求項１の電子機器。
【請求項３】
前記検索条件は、前記コンテンツを提供する事業体種別、前記コンテンツが提供される時間帯、前記リスト取得手段において１日あたりで前記コンテンツを録画可能な録画可能時間、前記機器の個数、の組み合わせに基づいて設定する請求項２の電子機器。
【請求項４】
前記検索条件は、前記機器に固有の設定を優先する請求項２の電子機器。
【請求項５】
前記検索条件は、前記機器が前記コンテンツを録画可能な録画可能量に基づく設定を優先する請求項３または４の電子機器。
【請求項６】
録画機能を有する機器が提示する検索条件と関連のある情報の集合体（フォーラム）が推奨する録画対象コンテンツリストを保持する対象リスト保持手段と、
前記機器が提示する検索条件を保持する検索条件保持手段と、
前記検索条件保持部が保持する前記検索条件に基づいて、自動録画の対象とするコンテンツを検索する手段と、
前記検索手段による検索結果とアップロード部からの予約情報とに基づいたコンテンツリストを、リスト取得手段による前記自動録画のための予約リストとして取得可能に保持するリスト保持手段と、
を具備する電子機器。
【請求項７】
前記コンテンツリストは、前記情報の集合体すなわちフォーラムが２以上である場合の前記情報の集合体に対する優先度に基づいて設定する請求項６の電子機器。
【請求項８】
前記検索条件は、前記コンテンツを提供する事業体種別、前記コンテンツが提供される時間帯、前記リスト取得手段において１日あたりで前記コンテンツを録画可能な録画可能時間、前記機器の個数、の組み合わせに基づいて設定する請求項７の電子機器。
【請求項９】
前記検索条件は、前記機器に固有の設定を優先する請求項７の電子機器。
【請求項１０】
前記検索条件は、前記機器が前記コンテンツを録画可能な録画可能量に基づく設定を優先する請求項８または９の電子機器。
【請求項１１】
録画機能を有する機器が提示する検索条件を保持し、
検索条件に基づいて、自動録画の対象とするコンテンツを検索し、
検索結果とアップロード部からの予約情報とに基づいたコンテンツリストを、自動録画のための予約リストとして取得可能に保持する
情報配信システム。
【請求項１２】
録画機能を有する機器が提示する検索条件を保持し、
検索条件に基づいて、自動録画の対象とするコンテンツを検索し、
検索結果とアップロード部からの予約情報とに基づいたコンテンツリストを、自動録画のための予約リストとして取得可能に保持する
情報配信方法。
【請求項１３】
録画機能を有する機器が提示する検索条件を保持し、
検索条件に基づいて、自動録画の対象とするコンテンツを検索し、
検索結果とアップロード部からの予約情報とに基づいたコンテンツリストを、自動録画のための予約リストとして取得可能に保持する
情報配信プログラム。
【発明の詳細な説明】
【技術分野】
【０００１】
この発明は、電子機器、情報配信システム、情報配信方法及びプログラムに関する。
【背景技術】
【０００２】
放送事業者や配信事業者が供給する番組を受信して再生するテレビジョン受信装置は、ネットワークを通じてさまざまな情報の受信及び発信も可能である。
【先行技術文献】
【特許文献】
【０００３】
【特許文献１】特開２００２−３２３９６号公報
【発明の概要】
【発明が解決しようとする課題】
【０００４】
ネットワークは、ユーザが再生（視聴）や録画しようとする番組について、さまざまな情報を提供する。【０００５】
ネットワークが提供する情報は、例えば「ＳＮＳ（ソーシャルネットワークサービス）において話題となる」、等の理由により、ユーザが視聴あるいは録画しようとする番組を決定するための動機づけに寄与する。【０００６】
しかしながら、ネットワークが提供する情報に基づき、番組の視聴を促すあるいは番組を録画するテレビジョン受信装置は、ユーザが希望する番組を特定する過程にさまざまな要素を必要とする。【０００７】
このため、ネットワークが提供する情報に基づいて、ユーザが希望するすべての番組の視聴を促すあるいは番組を録画することは、困難である。【０００８】
この発明の目的は、ネットワークが提供する情報に基づいて、ユーザが希望する番組の視聴を促すあるいは番組を録画する電子機器、情報配信システム、情報配信方法及びプログラムを提供することである。
【課題を解決するための手段】
【０００９】
実施形態の電子機器、検索条件保持手段と、検索する手段と、リスト保持手段と、を具備する。検索条件保持手段は、録画機能を有する機器提示する検索条件を保持する。検索する手段は、前記検索条件保持部が保持する前記検索条件に基づいて、自動録画の対象とするコンテンツを検索する。リスト保持手段は、前記検索手段による検索結果とアップロード部からの予約情報とに基づいたコンテンツリストを、リスト取得手段による前記自動録画のための予約リストとして取得可能に保持する。
【図面の簡単な説明】
【００１０】
【図１】実施形態に係る表示装置（電子機器）の画面表示の遷移の一例を示す。
【図１Ａ】実施形態に係る表示装置の起動時の画面表示（ホーム画面）の一例を示す。
【図１Ｂ】図１に示した画面表示の遷移に基づく遷移画面の画面表示の一例を示す。
【図１Ｃ】図１に示した画面表示の遷移に基づく遷移画面の画面表示の一例を示す。
【図１Ｄ】図１に示した画面表示の遷移に基づく遷移画面の画面表示の一例を示す。
【図１Ｅ】図１に示した画面表示の遷移に基づく遷移画面であって、フォーラムサービス起動時の画面表示（トップ画面）の一例を示す。
【図１Ｆ】図１に示した画面表示の遷移に基づく遷移画面であって、フォーラムサービス利用時の画面表示の一例を示す。
【図２】実施形態に係る表示装置（電子機器）の画面表示の遷移の一例を示す。
【図２Ａ】実施形態に係る表示装置の画面表示の遷移に基づく遷移画面の画面表示の一例を示す。
【図２Ｂ】実施形態に係る表示装置の画面表示の遷移に基づく遷移画面の画面表示の一例を示す。
【図２Ｃ】実施形態に係る表示装置の画面表示の遷移に基づく遷移画面の画面表示の一例を示す。
【図２Ｄ】実施形態に係る表示装置の画面表示の遷移に基づく遷移画面の画面表示の一例を示す。
【図２Ｅ】実施形態に係る表示装置の画面表示の遷移に基づく遷移画面の画面表示の一例を示す。
【図２Ｆ】実施形態に係る表示装置の画面表示の遷移に基づく遷移画面の画面表示の一例を示す。
【図２Ｇ】実施形態に係る表示装置の画面表示の遷移に基づく遷移画面の画面表示の一例を示す。
【図２Ｈ】実施形態に係る表示装置の画面表示の遷移に基づく遷移画面の画面表示の一例を示す。
【図２Ｉ】実施形態に係る表示装置の画面表示の遷移に基づく遷移画面の画面表示の一例を示す。
【図２Ｊ】実施形態に係る表示装置の画面表示の遷移に基づく遷移画面の画面表示の一例を示す。
【図２Ｋ】実施形態に係る表示装置の画面表示の遷移に基づく遷移画面の画面表示の一例を示す。
【図２Ｌ】実施形態に係る表示装置の画面表示の遷移に基づく遷移画面の画面表示の一例を示す。
【図２Ｍ】実施形態に係る表示装置の画面表示の遷移に基づく遷移画面の画面表示の一例を示す。
【図２Ｎ】実施形態に係る表示装置の画面表示の遷移に基づく遷移画面の画面表示の一例を示す。
【図２Ｐ】実施形態に係る表示装置の画面表示の遷移に基づく遷移画面の画面表示の一例を示す。
【図２Ｑ】実施形態に係る表示装置の画面表示の遷移に基づく遷移画面の画面表示の一例を示す。
【図２Ｒ】実施形態に係る表示装置の画面表示の遷移に基づく遷移画面の画面表示の一例を示す。
【図２Ｓ】実施形態に係る表示装置の画面表示の遷移に基づく遷移画面の画面表示の一例を示す。
【図２Ｔ】実施形態に係る表示装置の画面表示の遷移に基づく遷移画面の画面表示の一例を示す。
【図２Ｕ】実施形態に係る表示装置の画面表示の遷移に基づく遷移画面の画面表示の一例を示す。
【図２Ｖ】実施形態に係る表示装置の画面表示の遷移に基づく遷移画面の画面表示の一例を示す。
【図２Ｗ】実施形態に係る表示装置の画面表示の遷移に基づく遷移画面の画面表示の一例を示す。
【図２Ｘ】実施形態に係る表示装置の画面表示の遷移に基づく遷移画面の画面表示の一例を示す。。
【図２Ｙ】実施形態に係る表示装置の画面表示の遷移に基づく遷移画面の画面表示の一例を示す。
【図２Ｚ】実施形態に係る表示装置の画面表示の遷移に基づく遷移画面の画面表示の一例を示す。
【図３】実施形態に係る表示装置（電子機器）の画面表示の遷移の一例を示す。
【図３Ａ】実施形態に係る表示装置の起動時の画面表示（ホーム画面）の一例を示す。
【図３Ｂ】実施形態に係る表示装置の画面表示の遷移に基づく遷移画面の画面表示の一例を示す。
【図３Ｃ】実施形態に係る表示装置の画面表示の遷移に基づく遷移画面の画面表示の一例を示す。
【図３Ｄ】実施形態に係る表示装置の画面表示の遷移に基づく遷移画面の画面表示の一例を示す。
【図３Ｅ】実施形態に係る表示装置の画面表示の遷移に基づく遷移画面の画面表示の一例を示す。
【図３Ｆ】実施形態に係る表示装置の画面表示の遷移に基づく遷移画面の画面表示の一例を示す。
【図３Ｇ】実施形態に係る表示装置の画面表示の遷移に基づく遷移画面の画面表示の一例を示す。
【図３Ｈ】実施形態に係る表示装置の画面表示の遷移に基づく遷移画面の画面表示の一例を示す。
【図３Ｉ】実施形態に係る表示装置の画面表示の遷移に基づく遷移画面の画面表示の一例を示す。
【図３Ｊ】実施形態に係る表示装置の画面表示の遷移に基づく遷移画面の画面表示の一例を示す。
【図３Ｋ】実施形態に係る表示装置の画面表示の遷移に基づく遷移画面の画面表示の一例を示す。
【図３Ｌ】実施形態に係る表示装置の画面表示の遷移に基づく遷移画面の画面表示の一例を示す。
【図３Ｍ】実施形態に係る表示装置の画面表示の遷移に基づく遷移画面の画面表示の一例を示す。
【図３Ｎ】実施形態に係る表示装置の画面表示の遷移に基づく遷移画面の画面表示の一例を示す。
【図３Ｐ】実施形態に係る表示装置の画面表示の遷移に基づく遷移画面の画面表示の一例を示す。
【図３Ｑ】実施形態に係る表示装置の画面表示の遷移に基づく遷移画面の画面表示の一例を示す。
【図３Ｒ】実施形態に係る表示装置の画面表示の遷移に基づく遷移画面の画面表示の一例を示す。
【図３Ｓ】実施形態に係る表示装置の画面表示（マイページ画面）の一例を示す。
【図４】実施形態に係る表示装置（電子機器）の画面表示の遷移の一例を示す。
【図５】実施形態に係る表示装置（電子機器）の画面表示の遷移の一例を示す。
【図５Ａ】実施形態に係る表示装置の起動時の画面表示（ホーム画面）の一例を示す。
【図５Ｂ】実施形態に係る表示装置の画面表示（マイページ画面）の一例を示す。
【図５Ｃ】実施形態に係る表示装置の画面表示の遷移に基づく遷移画面の画面表示の一例を示す。
【図５Ｄ】実施形態に係る表示装置の画面表示の遷移に基づく遷移画面の画面表示の一例を示す。
【図６】実施形態に係る表示装置の画面表示の遷移に基づく遷移画面の画面表示の一例を示す。
【図７】実施形態に係る表示装置の画面表示の遷移に基づく遷移画面の画面表示の一例を示す。
【図８】実施形態に係る表示装置の画面表示の遷移に基づく遷移画面の画面表示の一例を示す。
【図９】実施形態に係る表示装置の画面表示の遷移に基づく遷移画面の画面表示の一例を示す。
【図１０】実施形態に係る表示装置の画面表示の遷移に基づく遷移画面の画面表示の一例を示す。
【図１１】実施形態に係る表示装置の画面表示の一例を示す。
【図１１Ａ】図１１が示す画面表示の内容の一例を示す。
【図１１Ｂ】図１１が示す画面表示内の表示と制御指示との関係の一例を示す。
【図１２】実施形態に係る表示装置の画面表示の一例を示す。
【図１２Ａ】図１２が示す画面表示の内容の一例を示す。
【図１２Ｂ】図１２が示す画面表示内の表示と制御指示との関係の一例を示す。
【図１２Ｃ】図１２が示す画面表示内のボタン表示に対応する動作の一例を示す。
【図１３】実施形態に係る表示装置の画面表示の一例を示す。
【図１３Ａ】図１３が示す画面表示の内容の一例を示す。
【図１３Ｂ】図１３が示す画面表示内の表示と制御指示との関係の一例を示す。
【図１３Ｃ】図１３が示す画面表示内のボタン表示に対応する動作の一例を示す。
【図１４】実施形態に係る表示装置の画面表示の一例を示す。
【図１４Ａ】図１４が示す画面表示の内容の一例を示す。
【図１４Ｂ】図１４が示す画面表示内の表示と制御指示との関係の一例を示す。
【図１４Ｃ】図１４が示す画面表示内のボタン表示に対応する動作の一例を示す。
【図１５】実施形態に係る表示装置の画面表示の一例を示す。
【図１５Ａ】図１５が示す画面表示の内容の一例を示す。
【図１５Ｂ】図１５が示す画面表示内の表示と制御指示との関係の一例を示す。
【図１５Ｃ】図１５が示す画面表示内のボタン表示に対応する動作の一例を示す。
【図１６】実施形態に係る表示装置の画面表示の一例を示す。
【図１６Ａ】図１６が示す画面表示の内容の一例を示す。
【図１６Ｂ】図１６が示す画面表示内の表示と制御指示との関係の一例を示す。
【図１７】実施形態に係る表示装置の画面表示の一例を示す。
【図１７Ａ】図１７が示す画面表示の内容の一例を示す。
【図１７Ｂ】図１７が示す画面表示内の表示と制御指示との関係の一例を示す。
【図１７Ｃ】図１７が示す画面表示内のボタン表示に対応する動作の一例を示す。
【図１８】実施形態に係る表示装置の画面表示の一例を示す。
【図１８Ａ】図１８が示す画面表示の内容の一例を示す。
【図１９】実施形態に係る表示装置の画面表示の一例を示す。
【図１９Ａ】図１９が示す画面表示の内容の一例を示す。
【図２０】実施形態に係る表示装置の画面表示の一例を示す。
【図２０Ａ】図２０が示す画面表示の内容の一例を示す。
【図２１】実施形態に係る表示装置の画面表示の一例を示す。
【図２１Ａ】図２１が示す画面表示の内容の一例を示す。
【図２２】実施形態に係る表示装置の画面表示の一例を示す。
【図２２Ａ】図２２が示す画面表示の内容の一例を示す。
【図２３】実施形態に係る表示装置の画面表示の一例を示す。
【図２３Ａ】図２３が示す画面表示の内容の一例を示す。
【図２４】実施形態に係る表示装置の画面表示の一例を示す。
【図２４Ａ】図２４が示す画面表示の内容の一例を示す。
【図２４Ｂ】図２４が示す画面表示内のボタン表示に対応する動作の一例を示す。
【図２５】実施形態に係る表示装置の画面表示の一例を示す。
【図２５Ａ】図２５が示す画面表示の内容の一例を示す。
【図２５Ｂ】図２５が示す画面表示内のボタン表示に対応する動作の一例を示す。
【図２６】実施形態に係る表示装置の画面表示の一例を示す。
【図２６Ａ】図２６が示す画面表示の内容の一例を示す。
【図２７】実施形態に係る表示装置の画面表示の内容の一例を示す。
【図２８】実施形態に係る表示装置の画面表示の内容の一例を示す。
【図２９】実施形態に係る表示装置の画面表示の内容の一例を示す。
【図３０】実施形態に係る表示装置の画面表示の内容の一例を示す。
【図３１】実施形態に係る表示装置の画面表示の内容の一例を示す。
【図３２】実施形態に係る表示装置の画面表示の内容の一例を示す。
【図３３】実施形態に係る表示装置の画面表示の一例を示す。
【図３４】実施形態に係る表示装置の画面表示の一例を示す。
【図３５】実施形態に係る表示装置の画面表示の一例を示す。
【図３６】実施形態に係る表示装置における動作の一例であって、［おまかせ録画設定］の設定を促す動作の一例を示す。
【図３７】実施形態に係るフォーラムサービスの概念を模式的に示す。
【図３８】実施形態に係るフォーラムサービスにおける表示装置とサーバ（クラウドサービス）との間のデータの受け渡しの一例を示す。
【図３９】実施形態に係るサーバ（クラウドサービス）の主要な構成の一例を示す。
【図４０】実施形態に係るフォーラムサービスにより［おまかせ録画設定］を可能とする概要を模式的に示す。
【図４１】実施形態に係るフォーラム（サーバ）の構成及び自動録画処理の一例を示す。
【図４２】実施形態に係るフォーラムサービスにおける自動録画対象の検索過程の一例を示す。
【図４３】実施形態に係るフォーラムサービスにおけるＥＰＧサーチャーの概要の一例を示す。
【図４４】実施形態に係るフォーラムサービスにおけるＥＰＧサーチャーの画面表示の一例を示す。
【図４５】実施形態に係るフォーラムサービスにおけるＥＰＧサーチャーのサーチの一例を示す。
【図４６】実施形態に係るフォーラムサービスにおけるＥＰＧサーチャーのサーチ結果のプレビュー画面表示の一例を示す。
【図４７】実施形態に係るフォーラムサービスにおける第一のフィルタ装置でのフィルタリングの一例を示す。
【図４８】実施形態に係るフォーラムサービスにおける第三のフィルタ装置でのフィルタリングの一例を示す。
【図４９】実施形態に係るフォーラムサービスにおける自動録画条件設定によるフィルタリング（条件設定）の一例を示す。
【図５０】実施形態に係るフォーラムサービスにおける自動録画条件設定によるフィルタリング（条件設定）の一例を示す。
【図５１】実施形態に係るフォーラムサービスにおける自動録画条件設定において、録画対象チャンネルの優先度の設定の一例を示す。
【図５２】実施形態に係るフォーラムサービスにおいて、イベント（ユーザによる事前予約あり）を考慮したフィルタリングの一例を示す。
【図５３】実施形態に係るフォーラムサービスにおける自動録画予約の更新のタイミングの一例を示す。
【図５４】実施形態に係るフォーラムサービスにおける自動録画予約時の優先度の設定の一例を示す。
【図５５】実施形態に係るフォーラムサービスにおける自動録画予約時の優先度の設定の一例を示す。
【図５６】実施形態に係るフォーラムサービスにおける自動録画予約時の録画先機器及び録画時間の設定の一例を示す。
【図５７】実施形態に係るフォーラムサービスにおける自動録画予約のプレビュー表示の一例を示す。
【図５８】実施形態に係るフォーラムサービスにおけるプログラムリスト処理アプリケーションの構成の一例を示す。
【図５９】実施形態に係るフォーラムサービスにおける自動録画条件設定によるフィルタリング（条件設定）の一例を示す。
【図６０】実施形態に係るフォーラムサービスにおける第三のフィルタ装置でのフィルタリングの展開例の一例を示す。
【発明を実施するための形態】
【００１１】
以下、図面を参照して、本発明の実施の一形態について説明する。
【００１２】
図３７〜図６０は、実施形態に係るシステムの概要の一例を示す。
【００１３】
図３７は、実施形態のフォーラムサービスの概念を模式的に示す。
【００１４】
図３７が示すように、電子機器、例えば録画機能を有するテレビジョン放送受信装置（以下テレビ装置または単にＴＶ／ＴＶ  ｓｅｔと示す）１０１は、自動録画リスト＜Auto REC (Recording) List＞を、サーバ（例えばクラウドサービス＜Cloud Service＞）１００１からダウンロードし、ユーザが希望する番組（コンテンツ）の録画に備える。なお、テレビ装置（ＴＶ）１０１は、例えば録画装置（または記録装置）を接続した表示装置であってもよい。また、サーバ１００１は、１のサーバ装置であっても良いが複数のサーバ装置を含んでいても良い。また、表示装置は、動画／静止画の表示が可能であれば、例えばパーソナルコンピュータ（Personal Computer、ＰＣ）と接続するディスプレイ装置や、例えばタブレット端末装置と呼ばれる携帯可能な装置であってもよい。なお、表示装置と録画装置との間のデータの受け渡しは、無線方式及び有線方式のいずれであってもよい。
【００１５】
サーバ１００１は、例えばフォーラム＜Forum＞と称し、ユーザが視聴あるいは録画を希望するコンテンツ（番組）の情報を共有するＳＮＳ（Social Network Service、ソーシャルネットワークサービス）から取得可能な情報やＥＰＧ（Electric Program Guide、電子番組表）が含む情報に基づいて作成する自動録画リストをユーザが取得可能に保持する。なお、フォーラムとは、ユーザ等によりある特定のテーマ毎に作成されるものであり、フォーラム毎に１対１で番組リスト（録画すべき番組のリストや視聴すべき番組のリスト）が設定される。言い換えると、フォーラムとは、番組リストを軸にして複数ユーザが繋がる仕組みでもあり、番組リストを複数ユーザで共有するための仕組みでもある。なお該録画リストは、ユーザが手動で１件毎に番組を追加して作成されることもあるし、あるいは、ユーザがフォーラムに対して設定した検索条件と合致する番組リストが作成されることもある。そして、フォーラムにユーザが登録すると、該フォーラムに設定された番組リストが、該ユーザの利用する装置にダウンロードされる。その装置は、ダウンロードした番組リストに従って録画処理や再生処理を実行する。サーバ１００１には、ユーザ等により設定された複数のフォーラムが存在し、各フォーラムには複数のユーザが登録している。また、ユーザは複数のフォーラムに登録することが可能である。
【００１６】
図３８は、テレビ装置とサーバ（クラウドサービス）との間のデータの受け渡しの一例を示す。
【００１７】
図３８が示すように、テレビ装置１０１は、サーバ１００１との間のデータの受け渡しすなわちサーバ１００１へのアクセスを制御するインタフェース部＜Cloud App＞１０３、及び、取得した自動録画リストを保持し、リストに従いコンテンツ（番組）を記録する情報保持部＜ネイティブ＜DTV Native＞＞１３１及びＣＰＵ（プロセッサ／Central Prossecing Unit）１１１を含む。
【００１８】
インタフェース部１０３は、サーバ１００１が提供するフォーラムに対し、自動録画のための録画設定を受け持つ自動録画ユーザインタフェース＜Auto Rec Setting UI＞１０７及び自動録画のための検索条件設定を受け持つ検索ユーザインタフェース＜Search Set UI＞１０９及び両者を制御する＜両者の起動／動作を管理する＞フォーラムユーザインタフェース＜Forum UI＞１０５を含む。
【００１９】
情報保持部＜Native＞１０５は、自動録画データ＜Auto Rec Data＞、予約情報（データ＜Reserve Data＞）及びコンテンツ（番組＜Record Content＞）を保持するデータ保持部（ストレージ、例えばＨＤＤ＜Hard Disk Drive＞）１３４と、ＨＤＤ（ストレージ）１３２、１３３及び１３４が保持するコンテンツを管理するデータ保持部管理部＜Hard Disk usage＞１３７を含む。なお、予約情報（データ＜Reserve Data＞）は、テレビ装置１０１に既に設定されている録画予約のデータであり、録画予約された番組のリスト等である。予約情報（データ＜Reserve Data＞）は、自動録画（おまかせ録画）データにより設定された録画予約と、テレビ装置１０１に対するユーザ操作により設定された録画予約とを含んでいても良い。
【００２０】
アップロード部＜Log Upload＞１３５は、データ保持部１３２が保持する予約情報＜Reserve Data＞をサーバ１００１に送信する。リスト取得部＜Get Auto Rec List＞１３７は、自動録画データ（自動録画リスト＜Auto Rec Data＞）１０１５をサーバ１００１から取得する。
【００２１】
データ保持部１３２は、リスト取得部＜Get Auto Rec List＞１３６が取得した自動（おまかせ）録画データ（自動録画リスト＜Auto Rec Data＞）を記憶する。データ保持部管理部＜Hard Disk usage＞１３７は、テレビ装置１０１に設定された録画の制約条件を記憶する。ここで制約条件とは録画に関する制約であり、例えば、録画可能なチャンネル、録画可能な時間帯、及び一日あたりの録画可能時間等である。そしてテレビ装置１０１は、取得した自動録画リストに基づいて、該リストが示す番組を録画する。なおテレビ装置１０１は、ＨＤＤ（データ保持部１３２、１３３及び１３４）の残り残量が所定値未満の場合、自動（おまかせ）録画リストに含まれる番組のうち優先度が高い番組を優先的に録画しても良い。録画すべき番組の優先度は、例えば番組のチャンネルの優先度、番組の時間帯の優先度、番組が属するフォーラムの優先度、該フォーラムに登録したユーザの優先度、等により決定される。
【００２２】
なお、テレビ装置１０１における上述の各部（ブロック）／インタフェース、等の動作は、ＣＰＵ（Central Prossecing Unit）１１１が制御する。
【００２３】
サーバ１００１は、自動録画設定部＜Auto Rec Setting(s)＞１０１１、検索条件保持部＜Search Set＞１０１２、検索部＜Search Engine＞１０１３、ＥＰＧデータ保持部＜Nimbus EPG＞１００５、カレンダデータベース部＜Calender DB＞１００７、アップロード受付部＜Log Collector＞１０１４、及び自動（おまかせ）録画リスト作成部＜Auto Rec List＞１０１５を含む。
【００２４】
自動録画設定部＜Auto Rec Setting(s)＞１０１１は、テレビ装置１０１の自動録画ユーザインタフェース１０７からの入力である録画設定＜Auto Rec Setting＞情報と、テレビ装置１０１の検索ユーザインタフェース１０９からの入力である検索条件＜Search Set＞情報とに従い、自動録画設定を設定し、保持する。
【００２５】
検索条件保持部＜Search Set(s)＞１０１２は、テレビ装置１０１からの検索条件＜Search Set＞情報を受けつけ、自動録画設定部及び検索部に供給する。
【００２６】
検索部＜Search Engine＞１０１３は、検索条件保持部１０１２からの検索条件とアップロード部＜Log Upload＞１３５からの予約情報＜Reserve Data＞とを受けつけ、ＥＰＧデータ保持部１００５が保持する番組情報とカレンダデータベース部１００７が管理する日時情報とを参照して、自動（おまかせ）録画のためのコンテンツを検索する。検索部１０１３は、検索した結果を、自動録画向けのお勧めデータ＜Auto Rec Data＞として利用可能に、アップロード受付部＜Log Collector＞１０１４を通じて自動録画リスト作成（保持）部＜Auto Rec List(s)＞１０１５に供給する。即ち検索部１０１３は、フォーラム毎にフォーラムマスタ等が設定した検索条件に基づいて番組を検索し、該検索により得られた番組リストを、自動録画リスト作成（保持）部＜Auto Rec List(s)＞１０１５に供給する。アップロード受付部＜Log Collector＞１０１４は、テレビ装置１０１から予約情報＜Reserve Data＞を収集する。なおアップロード受付部＜Log Collector＞１０１４は、例えばユーザ単位で予約情報を取得しても良い。即ち、あるユーザがテレビ装置１０１のような録画装置／録画機能があるテレビ装置／コンテンツの録画と再生が可能なレコーダ装置、等を複数利用している場合、該ユーザに紐付けられた（リンクが設けられた）複数の装置から予約情報を取得しても良い。この場合にサーバ１００１は、ユーザと該ユーザが利用する機器の対応を示すリストを保持していても良い。アップロード受付部＜Log Collector＞１０１４は、更に、一つの録画装置を複数のユーザが利用している場合、該複数ユーザ夫々が設定した録画予約についての予約情報を取得しても良い。また、アップロード受付部＜Log Collector＞１０１４は、テレビ装置１０１に設定された視聴予約の情報を取得しても良い。また、アップロード受付部＜Log Collector＞１０１４は、テレビ装置１０１に設定された制約条件の情報を取得しても良い。ここで制約条件とは、テレビ装置１０１に設定された、録画に関する制約であり、例えば、録画可能なチャンネル、録画可能な時間帯、及び一日あたりの録画可能時間等である。
【００２７】
自動録画リスト保持（作成）部１０１５は、検索部１０１３による検索結果をリスト取得部（テレビ装置１０１）が自動（おまかせ）録画（向け）お勧めデータとして取得可能に、保持する。即ち自動録画リスト保持（作成）部１０１５は、フォーラム毎に設定された自動（おまかせ）録画リストをネットワークに公開し、インタフェース部＜Cloud App (Front-end)＞１０３からアクセス可能な状態とする。また自動録画リスト保持作成部１０１５は、検索部１０１３の検索により得られた自動録画リストに含まれる番組から、アップロード受付部＜Log Collector＞１０１４が取得した予約情報が示す番組と重複する番組を除いた自動録画リストをテレビ装置１０１毎に用意する。なお、ここで、自動録画リスト作成部１０１５は、予約情報のうち、録画予約の情報が示す番組のみを除いても良いし、あるいは録画予約の情報が示す番組と視聴予約の情報が示す番組とを除いても良い。更に自動録画リスト作成部１０１５は、テレビ装置１０１に設定された制約条件に基づいて自動録画リスト中の番組を絞り込んだ自動録画リストを作成しても良い。
【００２８】
そして自動録画リスト保持作成部１０１５は、テレビ装置１０１からの要求に応じて該リストを送信する（テレビ装置１０１は、リスト保持作成部１０１５が保持する自動録画リストを、自身のダウンロード要求に従い、ダウンロードする）。つまりサーバ装置１００１は、検索部１０１３による検索結果としての自動録画リストを公開する機能と、該録画リストをテレビ装置１０１毎にアレンジした自動録画リストをテレビ装置１０１に送信する（テレビ装置／レコーダ装置がダウンロード可能に保持する）機能とを有する。
【００２９】
なお、図３８は、記録（録画）装置（ＨＤＤ／レコーダ／テレビ装置）を１台として示しているが、記録装置（ＨＤＤ／テレビ装置）が複数（個／台）である場合、サーバ１００１は、記録装置毎に、自動録画（向け）お勧めデータ＜Auto Rec Data＞を用意できる。即ち、テレビ装置１０１（記録装置）に対して複数のユーザアカウントが設定されており、該複数アカウントの夫々が異なるフォーラムに登録されている場合、自動（おまかせ）録画リスト作成部１０１５は、該フォーラム夫々の自動録画リストを纏めた自動録画リストを生成し、該纏めた自動録画リストをテレビ装置１０１に送信しても良い（テレビ装置／レコーダ装置がダウンロード可能に保持する）。また、この場合、自動録画リスト作成部１０１５は、複数ユーザ夫々が利用する複数機器（記録装置／録画機能つきテレビ装置）から予約情報を取得して、纏めた自動録画リストに含まれる番組のうち予約情報と重複する番組を除いた自動録画リストを作成しても良い。従って、例えばコンテンツの種類（年齢制限の有無）やジャンル＜Genre＞に基づいて、記録装置を区分することも可能である。
【００３０】
図３９は、フォーラムサービスを実現するサーバ（クラウドサービス）の主要な構成を示す。
【００３１】
図３９に示す通り、サーバ１００１は、カレンダデータベース部＜Calender DB＞１００７と自動録画ベース部＜Auto Rec DB＞１００９とを含むデータベース部１００３を含む。
【００３２】
データベース部１００３には、例えば外部のカレンダーサーバ＜○○ＥＣ２（tc-calender）＞が含む自動録画サーバ＜Auto Rec Service（Web API）＞及び自動録画制御部＜Auto Rec Service（cron job）＞が接続する。
【００３３】
データベース部１００３には、フォーラムサービス＜Forum Front-end＞が、上述の外部のカレンダーサーバの自動録画サーバ内の自動録画サービスプログラム（アプリケーション＜Auto Rec Service Web API＞）を介して接続する。データベース部１００３にはまた、テレビ装置＜DTV Native＞１０１が、上述の外部のカレンダーサーバの自動録画制御部内の自動録画通信制御部（Auto Rec Comm Protocol＜自動録画通信プロトコル＞）を介して接続する。
【００３４】
また、自動録画ベース部＜Auto Rec DB＞１００９は、自動録画検出部＜Auto Rec EPG Searcher＞が、ＥＰＧデータベース部＜NIMBUS JP API (Nimbus TV Listing Data)＞１００５´から取得するＥＧＰデータを参照して、自動録画のためのデータベースを保持する。
【００３５】
図４０は、フォーラムサービスにより［おまかせ録画設定］を可能とする概要を模式的に示す。なお、図４０は、テレビ装置１０１の表示部が表示する画面表示及び画面表示に対するユーザ入力（または設定）に関わる画面表示の遷移を一覧表示している。
【００３６】
図４０は、［おまかせ録画設定］を可能とするために、    
［Ａ］録画装置（記録装置）のマスター（主）設定＜Auto Rec Master Setting for Device＞向けＵＩ（User Interface）画面表示、    
［Ｂ］自動録画特性チェック＜Check Capability of Auto Rec＞向けＵＩ（User Interface）画面表示、    
［Ｃ］自動録画リストマニュアル（手動）更新＜Update Auto Rec List manually＞向けＵＩ（User Interface）画面表示、    
［Ｄ］関連するフォーラムのピクチャインピクチャ（ＰｉｎＰ）表示＜Show PinP related Forums＞及びＵＩ（User Interface）画面表示、    
［Ｅ］自動録画リスト＜Auto Rec List＞すなわち録画装置（記録装置）向けＧＵＩ＜Open Native Graphical User Interface＞画面表示、    
［Ｆ］フォーラム優先度設定＜Forum Priority Setting）向けＵＩ（User Interface）画面表示、    
［Ｇ］検索結果表示＜Serach Result is deisplayed＞表示、    
［Ｈ］フォーラム／録画装置（記録装置）の自動録画設定＜Auto Rec Setting for Forum/Device）向けＵＩ（User Interface）画面表示、等、フォーラムに参加（フォーラムを購読）しているユーザに提示するさまざまな画面表示の一例を示す。
【００３７】
従って、図４０に示す画面表示は、同時に全ての画面表示が表示されることはなく、例えば［Ｂ］自動録画特性チェック＜Check Capability of Auto Rec＞を表示した画面表示において、自動録画特性チェックを選択（ユーザによるリモコン操作により、画面表示中の決定ボタンをオン（押下）することにより、選択指示制御が起動）することで、［Ｃ］自動録画リストマニュアル（手動）更新＜Update Auto Rec List manually＞画面表示が表示されることを示す。
【００３８】
なお、図４０が含む個々の表示例については、図３における［３Ａ］〜［３Ｎ］及び［３Ｐ］〜［３Ｓ］及び図２における［２Ｚ］により示す図面番号に対応する個別の図面により、説明する。
【００３９】
図４１は、フォーラムサービスにおけるフォーラム（サーバ）の構成及び自動録画処理＜Backend＞の例を示す。
【００４０】
図４１が示すように、フォーラム（サーバ）１００１は、例えばＴｃ−ｆｒｏｎｔサーバ＜Tc-front＞１０２１、Ｔｃ−ｂａｃｋサーバ＜Tc-back＞１０２２、Ｔｃ−ｂｏｍサーバ＜Tc-bom＞１０２３、Ｔｃ−ｃａｌｅｎｄｅｒサーバ＜Tc-calender＞１０２４、ＥＰＧデータベース部＜NIMBUS JP API (Nimbus TV Listing Data)＞１００５´及びカレンダー管理部＜calender DAO ＜RDS/S3/etc＞＞１０３１等を、階層的に含む。
【００４１】
ｆｒｏｎｔサーバ１０２１は、テレビ装置１０１及びｃａｌｅｎｄｅｒサーバ１０２４に、自動録画予約＜Automatic Timer Rec ording Setting＞を設定する。
【００４２】
ｃａｌｅｎｄｅｒサーバ１０２４は、テレビ装置１０１からの自動予約＜get Auto Reservatior＞を、ｂｏｍサーバ１０２３、ＥＰＧデータベース部＜NIMBUS JP API (Nimbus TV Listing Data)＞１００５´及びカレンダー管理部１０３１に供給する。
【００４３】
ｃａｌｅｎｄｅｒサーバ１０２４はまた、プログラム（コンテンツ（番組））の検索結果＜Search Result of Programs＞１０５４、自動録画リスト＜Auto Rec List＞１０１５、例えばＥＰＧやカレンダーから特定されるイベントすなわち検索結果に対応する番組（プログラム）の開始時間、終了時間、放送形態、チャンネル等のイベントデータ＜Event Data＞１００５´、及び自動録画予約＜Auto Rec Setting(s)＞１０１５、等を設定する。
【００４４】
ｂｏｍサーバ１０２３は、カレンダー管理部１０３１に、「フォーラム形式＜Forum Configuration＞」１０５３及び「検索条件＜Search Set Setting＞」１０２１´を設定する。
【００４５】
ｂａｃｋサーバ１０２２は、カレンダー管理部１０３１に、「フォーラムメンバー（一覧）リスト＜Forum Members List＞」１０５１及び「フォーラムメッセージ＜Forum Messages＞」１０５２を設定する。なお、バックサーバ１０２２がアクセスするカレンダーサーバ１０３１の領域を、領域１０３４、ｂｏｍサーバ１０２３がアクセスするカレンダーサーバ１０３１の領域を、領域１０３２、及びカレンダーサーバ１０２４がアクセスするカレンダーサーバ１０３１の領域を、領域１０３３と呼称する。
【００４６】
図４２は、フォーラムサービスにおける自動録画対象番組（プログラム）の検索過程について示す。
【００４７】
なお、図４２は、テレビ装置１０１の表示部に表示する画面表示及び画面表示に対するユーザ入力（または設定）に関わる画面表示の遷移と図４１が示すサーバ（フォーラム）内の処理（データ処理）及び処理の流れを模式的に示す。
【００４８】
＜１＞ＥＰＧサーチャー＜EPG Daily Sercher＞１０１３は、検索条件＜Search Set＞１０９（画面表示）からｂｏｍサーバ１０２３を経由して入力する検索条件＜Search Set Setting (N)＞を参照して、ＥＰＧデータベース部１００５´から検索条件に合致する対象プログラム（番組）を検索する。なおＥＰＧデータベース部１００５´が保持するテレビリストデータは、全国各地域の全放送番組の番組の情報を含んでいても良い。また、検索条件は、例えばフォーラム毎に設定される。
【００４９】
＜２＞ＥＰＧサーチャー＜EPG Daily Sercher＞１０１３により抽出された番組リスト＜Search Result of Programs＞は、第一のフィルタ装置＜Device Channel Fillter＞により、必要に応じてチャンネル調整される。すなわち、テレビ装置１０１が放送信号を受信する地域により、番組のチャンネルが異なる場合があるため、第一のフィルタ装置は、ＥＰＧサーチャー１０１３により抽出された番組のチャンネルを、テレビ装置１０１の（テレビ装置１０１が位置する）地域に応じたチャンネルに変更する。なお第一のフィルタ装置＜Device Channel Fillter＞は、カレンダデータベース部１０２４のチャンネルリスト＜Channel Number＞を参照してテレビ装置１０１の属する地域を認識し、チャンネル調整する。
【００５０】
＜３＞第二のフィルタ装置＜Device Forum Fillter＞は、自動録画設定＜Auto Rec Setting for Forum/Device＞１０７（画面表示）及び優先度設定＜Forum Priority Setting＞１０５（画面表示）を通じて入力された自動録画条件＜Auto Record Setting (N)＞１０１１を参照して、テレビ装置１０１に設定された制約条件に応じて自動録画すべきプログラム（番組）をフィルタリングする。
【００５１】
＜４＞第三のフィルタ装置＜User Timer Rec Fillter＞は、既に録画予約がされていない（イベントがない）録画予約可能な時間のプログラムであることをチェックする。また第３のフィルタ装置は、第二のフィルタ装置＜Device Forum Fillter＞からの番組リストに対して新たなプログラムを追加しても良い。ここで、サーバ１００１は、あるユーザアカウントに対して、他のユーザアカウントからのお勧め番組を録画すべき番組として登録させる機能を有している。そして、第３のフィルタ装置＜Device Forum Fillter＞は、このお勧め番組（自動録画＜Auto Rec List＞）を、番組リストに追加する。
【００５２】
このようにして、テレビ装置（記録装置）１０１が利用可能（ダウンロード可能）に、自動録画リスト＜Auto Rec List＞が、サーバ１００１に設定される。なお、テレビ装置においても、マスター（主）設定＜Auto Rec Master Setting for Device＞に基づいて、録画予約可能であることがチェックされる。
【００５３】
そしてテレビ装置１０１（ＴＶ  Ｓｅｔ／録画装置）は、自動録画リスト＜Auto Rec List＞を例えば一日一回ダウンロードし、該自動録画リスト＜Auto Rec List＞に応じた録画処理を実行する。なおテレビ装置１０１は、例えばＨＤＤ容量が所定値未満の場合、自動録画リスト＜Auto Rec List＞に対してテレビ装置１０１固有のフィルタリングを実行し、ダウンロードした自動録画リスト＜Auto Rec List＞に含まれる番組のうち録画すべき番組を抽出する。
【００５４】
図４３は、フォーラム（サーバ）におけるＥＰＧサーチャー＜EPG Daily Sercher＞の概要の一例を示す。
【００５５】
図４３が示すように、ＥＰＧサーチャーは、例えば１つまたは２つの検索＜Search Set(N)＞において、例えばキーワード＜Keyword＞の組み合わせ「ＡＮＤ」、あるいは除く「ＮＯＴ」または少なくとも一方（いずれか）「ＯＲ」に基づいて、プログラム（番組）を検索する。
【００５６】
また、ＥＰＧサーチャーは、優先度＜Priority＞に従い、チャンネルを検索する。
【００５７】
また、ＥＰＧサーチャーは、設定された録画時間＜interest＞に従い、プログラムを検索する。
【００５８】
また、ＥＰＧサーチャーは、ジャンル＜Genre＞に従い、プログラムを検索する。
【００５９】
また、ＥＰＧサーチャーは、再放送＜Re-broadcast＞番組については、検索対象から除外することが可能である。
【００６０】
なお、検索には、ＥＰＧが含むデータも用いる。
【００６１】
図４４は、フォーラム（サーバ）におけるＥＰＧサーチャーの画面表示の例を示す。
【００６２】
すなわち、テレビ装置１０１においては、フォーラムサービスを利用する自動録画予約に従い録画する番組について、図２Ｔ（画面表示例［０１９］）に示すように、キーワード入力、放送形態選択、録画対象時間、ジャンル、等を任意に設定できる。
【００６３】
なお、入力（設定）については、図２Ｔにおいて説明する。
【００６４】
図４５は、ＥＰＧサーチャーにおけるサーチについて示す。
【００６５】
図２Ｔ（画面表示例［０１９］）に示す画面表示において、例えば図４４が示す条件が設定されると、ＥＰＧサーチャーによるｂｏｍサーバへのアクセスに従い、サーチセット（検索条件）が、ＥＰＧサーチャーにセットされる（ＥＰＧサーチャーが検索条件を取得する）。
【００６６】
ＥＰＧサーチャーは、取得した検索条件に基づいて、入力（設定条件）に該当する番組（プログラム）を、Ｎｉｍｂｕｓテレビリストデータベース（ＥＰＧデータベース部＜NIMBUS JP API (Nimbus TV Listing Data)＞）から検索する（該当するプログラムがある場合、データベース（所定の記憶領域）に記憶する）。
【００６７】
図４６は、ＥＰＧサーチャーにおけるサーチ結果のプレビュー画面表示の一例を示す。すなわち、テレビ装置１０１においては、フォーラムサービスを利用する自動録画予約に従い録画する番組の検索（サーチ）結果について、任意のタイミングで確認できる。
【００６８】
なお、画面表示については、図２Ｕ（画面表示例［０２２］）において説明する。
【００６９】
図４７は、第一のフィルタ装置＜Device Channel Fillter＞によるフィルタリングの一例を示す。
【００７０】
例えば、フォーラムメンバーによるシェアリストがある場合において、非サービス地域すなわち自動録画しようとするユーザの住む地域においては、放送を受信できない放送局（配信事業者）等が提供する番組あるいはＢＳ／ＣＳ放送のように衛星を用いる放送事業者）が提供する番組、等、ユーザが受信しない放送が含まれる場合、チャンネルフィルタにより、該当する番組の自動録画予約を非設定（非選択）とすることができる。
【００７１】
図４８は、第三のフィルタ装置＜User Timer Rec Fillter＞によるフィルタリングの一例を示す。
【００７２】
以下、テレビ装置及びユーザ（フォーラムメンバー）が少なくとも一方が２以上である場合であって、例えばＩＤ（ＰＤＩＤ）００１２のテレビ装置にユーザアカウントを登録している第一のユーザ（ユーザＡ）、例えばＩＤ（ＰＤＩＤ００２４）のテレビ装置にユーザアカウントを登録している第三のユーザ（ユーザＣ）、及び、どちらのテレビ装置にもユーザアカウントを登録している第二のユーザ（ユーザＢ）が存在する場合を説明する。まず、サーバ１００１は、ユーザＡ，Ｂ及びＣが、何れのフォーラムに登録しているかを認識する。そして、ユーザＡ及びＢがフォーラムＳＳＳに、ユーザＢ及びＣがフォーラムＧｏｌｆに登録しており、例えばフォーラムＳＳＳとフォーラムＧｏｌｆの２つのフォーラムから自動録画予約が提案されている場合、サーバ１００１は、ユーザＡがメンバーである一方のフォーラム（フォーラムＳＳＳ）に設定された番組リストと、ユーザＢがメンバーである他の一方のフォーラム（フォーラムＧｏｌｆ）に設定された番組リストを、それぞれのテレビ装置に振り分けることができる。なお番組リストは、例えば自動録画リストや視聴リスト等である。
【００７３】
すなわち、番組リスト（SSS to 0012 shared by User A，User B）では、ユーザＡ及びＢがフォーラムＳＳＳに対して設定した条件に応じた番組リストが作成される。例えば、フォーラムＳＳＳに対して、ユーザＡが時間帯Ａに制限した録画を設定し、ユーザＢが時間帯Ｂに制限した録画を設定していた場合、番組リスト（SSS to 0012 shared by User A，User B）では、時間帯Ａと時間帯Ｂとの両方に該当する番組リストが生成される。同様に、番組リスト（Golf to 0024 shared by User B，User C）では、ユーザＢとユーザＣとのＯＲ条件を取った番組リストが生成される。
【００７４】
そしてこれらの番組リストがテレビ装置＜ＴＶ  Ｓｅｔ＞００１２やテレビ装置＜ＴＶ  Ｓｅｔ＞００２４にダウンロードされることにより、ユーザＡ及びユーザＢのアカウントが登録されたテレビ装置００１２が一方のフォーラムが提供する番組リスト（自動録画予約）に基づいて自動録画予約する番組を記録（録画）し、ユーザＣ及びユーザＢが視聴するテレビ装置００２４が他の一方のフォーラムが提供する自動録画予約に基づいて自動録画予約する番組を記録（録画）するよう、自動録画予約を組み合わせることで、ユーザＢは、それぞれのフォーラムが提案する番組を視聴可能となる。また、ユーザＡは、自身がメンバーであるフォーラムからの番組リストに基づいて録画される番組を視聴可能である。同様に、ユーザＣは、自身がメンバーであるフォーラム（ユーザアカウントを登録したフォーラム）からの番組リストに基づいて録画される番組を録画・視聴可能である。
【００７５】
図４９及び図５９は、自動録画条件設定＜「“+++ forum” forum auto recording setting」＞によるフィルタリング（条件設定）の一例を示す。なお、画面表示については、図３Ｌ（画面表示例［００５］）、図３Ｍ（画面表示例［００６］）、図３Ｎ（画面表示例［００７］）、図３Ｐ（画面表示例［００８］）及び図３Ｑ（画面表示例［００９］）において説明する。
【００７６】
自動録画条件設定は、１日あたりに録画する番組の数または総録画時間を規定するもので、例えばランキングの上位のみを自動録画する（画面表示例［００７］／図３Ｎ）、録画するチャンネルを限定する（画面表示例［００９］／図３Ｑ）、等の設定が可能である。
【００７７】
図５０は、自動録画条件設定＜「“+++ forum” forum auto recording setting」＞によるフィルタリング（条件設定）の一例を示す。なお、図５０の例は、図３Ｍにおける設定に従い、一日あたりの総録画時間が設定されている場合に対応する。
【００７８】
例えば、１２日の自動録画予約が１番組、その時間長が２時間である場合、３時間／１日の設定においては、その番組の全体を録画可能である。
【００７９】
例えば、１３日の自動録画予約が３番組、その時間長が２時間、１時間、２時間である場合、３時間／１日の設定においては、予約時間の早い順に、２つの番組を録画可能である（３つ目の番組は録画できない）。
【００８０】
図５１は、自動録画条件設定において、録画対象チャンネルの優先度に関する。なお、実際には、図４３に示したＥＰＧサーチャーにおいて優先度の高いチャンネルの番組を、自動録画予約の対象としてフィルタリングすることである。
【００８１】
すなわち、図５１の例では、チャンネル「ＣＨ−ＤＤＸ」の番組が、自動録画予約対象として自動録画予約リストに保持される。
【００８２】
図５２は、イベント（ユーザによる事前予約あり）を考慮したフィルタリングの一例を示す。
【００８３】
フォーラムメンバーによるシェアリストがある場合において、そのリストに、ユーザが既に予約を設定した番組が含まれている場合、該当する番組は、第三のフィルタ装置＜User Timer Rec Fillter＞により自動録画予約の対象から除外される。
【００８４】
図５３は、自動録画予約の更新＜Upload＞のタイミングの一例を示す。
【００８５】
テレビ装置は、少なくとも１日１回、自動録画予約のための自動録画リスト＜Auto Rec List＞を、サーバから取得する。このため、更新（取得）に先立って、テレビ装置が保持する予約情報＜Reserve Data＞を、サーバにアップロードする。この際、テレビ装置の電源がオフ（未投入）またはスリープ状態である場合には、アップロードに先立って、テレビ装置の電源をオンする。
【００８６】
テレビ装置から予約情報＜Reserve Data＞のアップロードがあると、該当するテレビ装置向けの自動録画予約リストをサーバにおいて用意する。テレビ装置は、電源が未投入であった場合には、サーバからの自動録画予約リストのダウンロード（リストの取得）が完了すると、電源をオフする（スリープ状態となる）。
【００８７】
図５４及び図５５は、テレビ装置１０１に設定される、自動録画予約における優先度の設定の一例を示す。該設定においては、テレビ装置１０１に登録された複数ユーザが登録するフォーラム毎に優先度が設定される。なお、テレビ装置１０１には、個人アカウント（父）及び（サヤ）と、共通アカウント（無印）が登録されており、各アカウントには一意な識別子が割り当てられて、サーバ１００１に管理されている。そして各アカウントは、任意のフォーラムを登録し、各フォーラムからの自動録画リストを取得することができる。なお、個人アカウント「父」や「サヤ」は、他の装置に登録されていても良い。ここで、画面表示については、図３Ｈ（画面表示例［０１２］）が示す［フォーラム優先度］設定画面が対応する。設定方法については、図２９に示したとおり、リモコンの［↑］［↓］キーによるカーソル移動により、優先度を変更すべきフォーラムを選択し、選択後、移動する位置にフォーラム（の表示）を移動して優先度を決定する。優先度は、上方側に位置するフォーラムほど、高い（確実な録画が期待できる）ものとする。
【００８８】
なお、リモコン装置側の［決定］キーを１回［１度目］の操作（オン（押下））により、対象のフォーラムを選択する。また、もう１回［２度目］操作（オン（押下））することにより、選択されたフォーラムの選択を解除する。
【００８９】
また、優先度は、図３Ｈが示す［フォーラム優先度］画面において設定するフォーラムを優先するが、同一のジャンル内において複数のフォーラムからの自動録画予約がリストされた場合は、（録画）開始時刻の順に従うものとする。
【００９０】
なお、図４８により説明したが、録画装置（テレビ装置）が２以上である場合、フォーラム毎に、録画装置（録画先機器）が統一されてもよい。また、図５２により説明したように、ユーザが既に予約を設定した番組は、優先して録画される。
【００９１】
図５６は、自動録画予約における録画時間（記録装置（ＨＤＤ）の記録可能容量に対する占有度）及び録画先機器（録画装置）の設定に関する。すなわち、テレビ装置１０１においては、フォーラムサービスを利用する自動録画予約に従い録画する番組の録画先機器及び録画時間を、任意に設定できる。なお、画面表示については、図３Ｋ（画面表示例［００４］）、図３Ｅ（画面表示例［０１０］）及び図３Ｆ（画面表示例［０１１］）において説明する。
【００９２】
図５７は、フォーラムサービスを利用した自動録画予約のプレビューについて説明する。
【００９３】
テレビ装置１０１においては、フォーラムサービスを利用する自動録画予約に従い録画する番組が属するフォーラムの情報、関連するフォーラムの情報、フォーラムを購読することにより得られる番組リスト、等を、フォーラムトップ画面において、確認できる。また、フォーラムトップ画面は、フォーラムを購読している場合には、該当するフォーラムが提案する番組が、ピクチャインピクチャ（ＰｉｎＰ）表示により、ＰｉｎＰ表示領域に表示される。なお、画面表示については、図２Ｚ（画面表示例［００１］）、及び図２Ｚが示す画面表示から特定のフォーラムを選択した状態（図３Ａ／図５Ａ）が類似する。
【００９４】
図５８は、サーバ（クラウドサービス）のプログラムリスト処理アプリケーション＜Forum Program List API＞の構成を示す。
【００９５】
プログラムリスト処理アプリケーションは、複数のユーザインタフェース、例えば図４６が参照する［番組検索セット＜「Search Set N」＞］画面（図２Ｔ）、例えば図５７に示すフォーラムトップ画面、図５７に示すフォーラムトップ画面からユーザの選択に従い遷移するさまざまな画面表示（図２Ｚ（画面表示例［００１］）、等を表示するための信号処理部として機能するエージェント＜Agents＞を共通化している。なお「Ｎは、正の整数」を示す。
【００９６】
プログラムリスト処理アプリケーションは、個々のエージェント＜Agents＞すなわち図４２等において説明するＥＰＧサーチャー＜EPG Daily Sercher＞、ランキングインジェクタ＜Timer Recording Ranking Injector＞、ホットリストインジェクタ＜“+++” Hot List Injector＞、あるいはユーザ予約設定部＜Personalized Recommendation Injector＞を共通化したものである。
【００９７】
ＥＰＧサーチャーは、ＮｉｍｂｕｓＥＰＧサーチャー＜Nimbus EPG Sercher＞からデータを取得するアプリケーション（プログラム）であり、ランキングインジェクタは、ＣｌｏｕｄＬｏｇ／ＨＤＥＸＬｏｇサーチャー＜Cloud Log/HDEX Log Sercher＞から、同様にデータを取得する。ホットリストインジェクタ＜“+++” Hot List Injector＞は、Ｎｉｍｂｕｓホットリストアプリケーション＜Nimbus “+++” Hot List API＞から、同じくユーザ予約設定部は、レコメンデーションエンジン＜Recommendation Engine＞からデータを取得する。
【００９８】
なお、プログラムリスト処理アプリケーションによる検索結果＜Search Result of Programs＞は、記録装置が保持（記録）する。
【００９９】
図６０は、図４８により説明した実施形態の展開例を示す。
【０１００】
テレビ装置及びユーザ（フォーラムメンバー）の少なくとも一方が２以上である場合においては、任意のユーザ（フォーラムメンバー）が提案する情報に従い設定する自動録画予約について、フォーラム毎に異なる録画装置（テレビ装置）が録画するよう、設定できる。
【０１０１】
すなわち、２人のユーザ（フォーラムメンバー）それぞれが、任意のフォーラムからの提案（推薦）に従い録画装置（テレビ装置）による自動録画を実行する際に、テレビ装置［１］〜［３］のそれぞれに、フォーラム毎の自動録画予約をまとめることができる。
【０１０２】
次に、上述の要求を実現する実施形態を説明する。なお、図１乃至図３６は、テレビ装置１０１における画面例や処理例を示すものである。
【０１０３】
＜＜フォーラムトップ＞＞    
図１１は、実施形態に係る表示装置の画面表示の一例であって、フォーラムトップ＜「Forum TOP」＞画面表示の表示例を示す。
【０１０４】
フォーラムトップ画面は、ログインユーザ（ユーザ）が参加しているフォーラムの一覧を表示する。
【０１０５】
フォーラムトップ＜「Forum TOP」＞画面表示の初期表示は、以下の［１］〜［４］を含む。
【０１０６】
［１］フォーラムメニュー    
［２］フォーラム一覧    
［３］フォーラムサブメニュー    
［４］フォーラム詳細。
【０１０７】
図１１Ａは、図１１が示す画面表示の内容の一例であって、フォーラムトップ画面表示内の表示内容を示す。
【０１０８】
［１］フォーラムメニュー    
◎フォーラムのメニューを表示する    
・視聴中テレビ（ＴＶ）映像［１１］    
・関連フォーラム一覧表示ボタン［１２］    
・参加フォーラム一覧表示ボタン［１３］    
・購読フォーラム一覧表示ボタン［１４］    
・フォーラム作成ボタン［１５］    
・フォーラム検索ボタン［１６］    
・タブレット操作ボタン［１７］。
【０１０９】
［２］フォーラム一覧    
◎フォーラムメニューより選択されたフォーラム一覧を表示する。
【０１１０】
◎一画面に表示されるフォーラム数は１３フォーラム数、最大フォーラム数は１００フォーラム。
【０１１１】
◎表示するフォーラムが無い場合は、「該当のフォーラムはありません。」と表示する。
【０１１２】
・関連フォーラム一覧（フォーラムトップ）    
画面起動時に既定値で表示する。
【０１１３】
視聴中のテレビ番組に（出演者やジャンル等が）関連するフォーラムの一覧を表示する。
【０１１４】
・参加フォーラム一覧    
参加しているフォーラムの一覧を表示する。
【０１１５】
・購読フォーラム一覧    
購読登録したフォーラムを表示する。
【０１１６】
［３］フォーラムサブメニュー    
◎フォーラム一覧で選択されたフォーラムの各情報を参照するボタン（アイコン）を表示する。
【０１１７】
◎表示するボタン（アイコン）は以下の通り。
【０１１８】
・フォーラム概要ボタン    
・フォーラムメッセージ一覧ボタン    
・フォーラムメンバー一覧ボタン    
・フォーラム番組一覧ボタン。
【０１１９】
［４］フォーラム詳細    
◎フォーラムサブメニューで選択された情報を表示する。
【０１２０】
・フォーラム概要    
・フォーラムメッセージ一覧    
・フォーラムメンバー一覧    
・フォーラム番組一覧。
【０１２１】
図１１Ｂは、図１１が示す画面表示内の表示と制御指示との関係の一例であって、リモコンキーとフォーラムトップ画面表示内のリモコンによる指示に対応する動作の一例を示す。
【０１２２】
表示の動作は、以下の通りである。
【０１２３】
［←］キー    
［→］キー    
［↑］キー    
［↓］キー    
◎個々の矢印キーは、［１］フォーラムメニュー、［２］フォーラム一覧、［３］フォーラムサブメニュー、［４］フォーラム詳細内において選択されている（フォーカスがあてられている／反転表示または背景色が変更された表示）情報を、１つずつ移動する。
【０１２４】
◎行き止まり（個々の矢印キーが示す方向の［次］の情報が無い場合）は、キー操作（制御信号）があっても、移動しない。
【０１２５】
［∧］キー（ジャンプカーソル）    
［∨］キー（ジャンプカーソル）    
◎「フォーラム一覧」、「フォーラムメッセージ一覧」、「フォーラムメンバー一覧」にフォーカスがあてられている場合、ページアップ／ページダウン（表示されているページの［前］ページ／［後］ページにジャンプ）する。
【０１２６】
［決定］キー    
◎フォーカスがある［ボタン］のボタンの機能を起動する。
【０１２７】
（ボタンの機能を実行する制御信号を出力する）
［戻る］キー    
◎フォーラムトップ画面を閉じ、クラウドホーム＜「Cloud HOME」＞画面に戻る。
【０１２８】
（［１つ前］の画面表示として関連づけられている画面表示を表示する制御信号を出力する）。
【０１２９】
＜＜フォーラム新規作成＜「Create new forum」＞＞    
図１２は、実施形態に係る表示装置の画面表示の一例であって、フォーラム新規作成＜「Create new forum」＞画面表示内の表示内容を示す。
【０１３０】
図１１に示すフォーラムトップ画面表示の参加フォーラム一覧より、フォーラム新規作成＜「Create new forum」＞を選択すると、フォーラムの新規作成画面［０３６］をポップアップ＜Pop Up＞表示（［現在表示中の画面］の画面表示に重ねて、ＯＳＤ（On Screen Display）表示により、フォーラム新規作成画面を表示する。
【０１３１】
フォーラム新規作成画面［０３６］は、    
◎フォーラム名    
◎フレンド＜「Friend」＞選択    
◎フォーラム概要    
◎フォーラム種類    
◎キャンセル＜「Cancel」＞ボタン    
◎作成＜「Create」＞ボタン    
を含む。
【０１３２】
図１２Ａは、図１２が示すフォーラム新規作成＜「Create new forum」＞」画面［０３６］画面表示の表示の内容を示す。
【０１３３】
［１］フォーラム名    
◎フォーラムの名称を全角２０文字以内で入力（可能）    
◎初期表示でフォーラム名にフォーカスを当てる    
（文字入力については、デジタルＴＶのＧＵＩ（文字入力）画面を使用）。
【０１３４】
［２］フレンド＜「Friend」＞選択    
◎［フレンド選択］画面を表示    
◎［フレンド選択］アイコン内に、選択したメンバーの人数を表示。
【０１３５】
［３］フォーラム概要    
◎フォーラムの概要を全角１５０文字以内で入力    
（文字入力については、デジタルＴＶのＧＵＩ（文字入力）画面を使用）。
【０１３６】
［４］フォーラム種別    
◎フォーラムの種別＜「Private」／「Public」＞を選択可能    
◎「Public」は特別な権限を持っている人のみ選択できる。
【０１３７】
［５］キャンセル＜「Cancel」＞ボタン    
◎フォーラムの作成を中止し、画面を閉じる。
【０１３８】
（［１つ前］の画面表示として関連づけられている画面表示を表示する制御信号を出力する。）
［６］作成＜「Create」＞ボタン    
◎フォーラムを作成し、［フォーラム＜「Forum」＞詳細設定］画面を表示する。
【０１３９】
◎選択したフレンド＜Friend＞に対して、作成したフォーラムへの招待メッセージを送信する。
【０１４０】
図１２Ｂは、図１２が示す画面表示内の表示と制御指示との関係の一例であって、リモコンキーとフォーラム新規作成画面［０３６］の画面表示内の表示に対する動作を示す。
【０１４１】
［←］キー    
［→］キー    
［↑］キー    
［↓］キー    
◎個々の矢印キーは、［１］フォーラム名、［２］フレンド選択、［３］フォーラム概要、［４］フォーラム種類内において、選択されている（フォーカスがあてられている／反転表示または背景色が変更された表示）情報を、１つずつ移動する。
【０１４２】
◎行き止まり（個々の矢印キーが示す方向の［次］の情報が無い場合）は、キー操作（制御信号）があっても、移動しない（キー操作無効）。
【０１４３】
［∧］（ジャンプカーソル）キー    
［∨］（ジャンプカーソル）キー    
◎キー操作無効。
【０１４４】
［決定］キー    
◎「フォーラム名」、「フォーラム概要」    
デジタルＴＶ１０１のＧＵＩ（文字入力）画面を起動し、文字入力を受けつける。
【０１４５】
◎「フレンド選択」    
「フレンド選択」画面を表示する。
【０１４６】
◎フォーカスがある［ボタン］のボタンの機能を起動する。
【０１４７】
（ボタンの機能を実行する制御信号を出力する。）
［戻る］キー    
◎［フォーラム作成］画面を閉じて、［１つ前］の画面表示として関連づけられている画面表示を表示する制御信号を出力する。
【０１４８】
図１２Ｃは、図１２が示す画面表示内のボタン表示に対応する動作の一例であって、リモコンキーによる指示入力とフォーラム新規作成画面［０３６］の画面表示内での動作を示す。
【０１４９】
［作成＜「Create」＞］ボタンをオン（押下）すると、    
◎『フォーラムを作成します』を表示する（図６参照）。    
［図６］において、「はい（ＹＥＳ）」／「いいえ（ＮＯ）」を表示    
「はい（ＹＥＳ）」選択、すなわち、［←］／［→］キーによりボタンにフォーカスをあて、［決定］ボタン：オン（ＯＮ）すると、フォーラム新規作成画面［０３６］を表示する。    
「いいえ（ＮＯ）」選択、すなわち、［←］／［→］キーによりボタンにフォーカスをあて、［決定］ボタン：オン（ＯＮ）すると、メッセージ（［図６］）を消去し、フォーラム新規作成画面［０３６］を閉じて、［１つ前］の画面表示として関連づけられている画面表示を表示する制御信号を出力する。
【０１５０】
［キャンセル＜「Cancel」＞］キー    
◎［フォーラム新規作成］画面を閉じる（［１つ前］の画面表示として関連づけられている画面表示を表示する制御信号を出力する）。
【０１５１】
＜＜フォーラム編集＞＞    
図１３は、実施形態に係る表示装置の画面表示の一例であって、＜フォーラム編集「Edit」＞画面［０３７］の画面表示内の表示内容を示す。
【０１５２】
図１１が示すフォーラム詳細画面の表示から編集＜「Edit」＞を選択すると、図１３に示すフォーラムの編集画面［０３７］がポップアップ表示により表示する。編集画面は、例えば    
◎編集＜「Edit」＞ボタン    
◎キャンセル＜「Cancel」＞ボタン    
◎削除＜「Remove」＞ボタン    
◎フォーラム名    
◎フレンド選択ボタン    
◎フォーラム概要    
◎フォーラム種別    
を含む。
【０１５３】
図１３Ａは、図１３が示す画面表示の内容の一例であって、編集＜「Edit」＞画面表示の表示内の内容を示す。
【０１５４】
編集ボタン    
◎編集ボタンは、ログインしたユーザが、フォーラムマスタの場合のみ表示される（編集ボタンは、フォーラムマスタのみ有効）。
【０１５５】
キャンセルボタン    
◎フォーラムの編集を中止し、画面を閉じる。
【０１５６】
削除ボタン    
◎フォーラムを削除し、画面を閉じる。
【０１５７】
◎フォーラムに参加していたフレンドに対して、フォーラムを削除したメッセージを送信する。
【０１５８】
フォーラム名    
◎フォーラムの名称を全角２０文字以内で入力（可能）。
【０１５９】
◎初期表示でフォーラム名にフォーカスを当てる（文字入力については、デジタルＴＶのＧＵＩ（文字入力）画面を使用）。
【０１６０】
フレンド選択    
◎［フレンド画面］を表示    
◎［フレンド選択］アイコン内に、選択したメンバーの人数を表示。
【０１６１】
フォーラム概要    
◎フォーラムの概要を全角１５０文字以内で入力（文字入力については、デジタルＴＶのＧＵＩ（文字入力）画面を使用）。
【０１６２】
フォーラム種別    
◎無効化（フォーラムの種別「プライベート（非公開＜「Private」＞／パブリック（公開）＜「Public」＞は変更できない）。
【０１６３】
図１３Ｂに、図１３が示す画面表示内の表示と制御指示との関係の一例であって、リモコンキーと［編集］画面内の表示に対する動作を示す。
【０１６４】
［←］キー    
［→］キー    
［↑］キー    
［↓］キー    
◎個々の矢印キーは、フォーラム名、フレンド選択、フォーラム概要、フォーラム種類内において、選択されている（フォーカスがあてられている／反転表示または背景色が変更された表示）情報を、１つずつ移動する。
【０１６５】
◎行き止まり（個々の矢印キーが示す方向の［次］の情報が無い場合）は、キー操作（制御信号）があっても、移動しない（キー操作無効）。
【０１６６】
［∧］キー（ジャンプカーソル）    
［∨］キー（ジャンプカーソル）    
◎キー操作無効。
【０１６７】
［決定］キー    
◎「フォーラム名」、「フォーラム概要」    
デジタルＴＶ１０１のＧＵＩ（文字入力）画面を起動し、文字入力を受けつける。
【０１６８】
◎「フレンド選択」    
「フレンド選択」画面を表示する。
【０１６９】
◎フォーカスがある［ボタン］のボタンの機能を起動する。
【０１７０】
（ボタンの機能を実行する制御信号を出力する。）
［戻る］キー    
◎編集画面を閉じる。
【０１７１】
（［１つ前］の画面表示として関連づけられている画面表示を表示する制御信号を出力する。）
図１３Ｃに、図１３が示す画面表示内のボタン表示に対応する動作の一例であって、リモコンキーによる制御入力に対応する画面表示内の動作の対応を示す。
【０１７２】
［編集］キーをオン（押下）すると、    
◎『フォーラムを編集します』、及び「はい（ＹＥＳ）」／「いいえ（ＮＯ）」ボタンを表示する。
【０１７３】
同表示に対して、「はい（ＹＥＳ）」選択すると、「フォーラム名」、「フォーラム概要」を編集可能に「編集」画面を表示する。また、デジタルＴＶ１０１のＧＵＩ（文字入力）画面を起動し、文字入力を受けつける。
【０１７４】
同表示に対して、「いいえ（ＮＯ）」選択すると、メッセージ（画面表示）を消去し、編集］画面を閉じる。
【０１７５】
［キャンセル］キー    
◎図７に示すような、例えば『フォーラムの編集を中止します』、及び「はい（ＹＥＳ）」／「いいえ（ＮＯ）」ボタンを表示する。    
「はい（ＹＥＳ）」選択時は、編集を中止して［編集］画面を閉じ、「いいえ（ＮＯ）」選択時は、メッセージ（［図７］）を消去する。
【０１７６】
［削除］キー    
◎図８に示すような、例えば『本当にこのフォーラムを削除しますか？』、及び「はい（ＹＥＳ）」／「いいえ（ＮＯ）」ボタンを表示する。    
「はい（ＹＥＳ）」／「いいえ（ＮＯ）」の表示に対し、ユーザが、「はい（ＹＥＳ）」を選択した場合、フォーラムの削除を行う（フォーラムを削除する）。ユーザが、「いいえ（ＮＯ）」を選択した場合、メッセージ（［図８］）を消去する。
【０１７７】
＜＜フォーラム詳細設定＜「Forum Detail Setting」＞＞
図１４に、実施形態に係る表示装置の画面表示の一例であって、［フォーラム詳細設定＜「Forum Detail Setting」＞］画面の一例を示す。
【０１７８】
図１４が示す［フォーラム詳細設定］画面は、上述したフォーラム新規作成およびフォーラム編集後に表示されるもので、以下の選択欄、入力欄及びボタンを含む。
【０１７９】
◎リマインダ＜「Remainder」＞選択欄    
◎番組検索セット＜「Program Search 1」＞欄Ａ＜［１］＞    
◎番組検索セット＜「Program Search 2」＞欄Ｂ＜［２］＞    
◎削除＜「Remove」＞ボタン    
◎キャンセル＜「Cancel」＞ボタン    
◎作成＜「Create」＞ボタン
「表示」としては、他に    
［フォーラム名］＜「Forum Name」＞欄    
［フォーラムＩＤ］＜「Forum ID」＞欄    
［作成日］＜「yy(Year)/mm(Month)/dd(Day)」＞欄    
［フォーラムマスタ（Owner）名］＜「Owner Name」＞欄    
［フォーラム種別］＜「Forum Type」＞欄    
が付属する。
【０１８０】
図１４Ａに、図１４が示す画面表示の内容の一例であって、リマインダ選択欄内の表示の内容を示す。
【０１８１】
［１］リマインダ選択欄    
◎リマインダの有無を選択（設定）可能で、
［しない（無）］／［１５分前に通知］の一方を選択する。
【０１８２】
［２］番組検索セット欄    
◎番組検索セット画面表示を表示する。
【０１８３】
◎番組検索セット画面表示で入力されたタイトル、例えば［ジャンル］や［アーティスト名］を表示する。
【０１８４】
［３］削除ボタン    
◎フォーラム詳細設定情報を削除する。
【０１８５】
［４］キャンセルボタン    
◎フォーラム詳細設定情報の編集（入力／設定）を中止する（中止した後、画面を閉じる）。
【０１８６】
［５］作成ボタン    
◎フォーラム詳細設定情報を作成（入力／設定）する。
【０１８７】
◎番組検索セットにおいては、それぞれ、全角２０文字以内で入力（可能）である（文字入力については、デジタルＴＶのＧＵＩ（文字入力）画面を使用）。
【０１８８】
図１４Ｂに、図１４が示す画面表示内の表示と制御指示との関係の一例であって、リモコンキーの操作と［フォーラム詳細設定］画面内の表示に対する動作を示す。
【０１８９】
［↑］キー    
［↓］キー    
◎個々の矢印キーは、［１］リマインダ選択欄、［２］番組検索セット内のいずれか、を、１つずつ移動する。
【０１９０】
［∧］キー（ジャンプカーソル）    
［∨］キー（ジャンプカーソル）    
◎キー操作無効。
【０１９１】
［決定］キー    
◎「番組検索セット」欄においては、「番組検索セット」画面を表示する（デジタルＴＶのＧＵＩ（文字入力）画面を起動し、文字入力を受けつける）。
【０１９２】
◎フォーカスがある［ボタン］のボタンの機能を起動する（ボタンの機能を実行する制御信号を出力する）。
【０１９３】
［戻る］キー    
◎「フォーラム詳細設定」画面を閉じる。
【０１９４】
図１４Ｃに、図１４が示す画面表示内のボタン表示に対応するリモコンキーによる制御入力に対応する画面表示内の動作の対応を示す。
【０１９５】
［削除］ボタン    
◎『フォーラム詳細設定を削除します』、「はい（ＹＥＳ）」／「いいえ（ＮＯ）」を表示する。    
「はい（ＹＥＳ）」を選択すると、詳細設定情報を削除し、フォーラム詳細設定画面を閉じる。    
「いいえ（ＮＯ）」を選択すると、メッセージを消去する。
【０１９６】
［キャンセル］ボタン    
『フォーラム詳細設定を中止します』、「はい（ＹＥＳ）」／「いいえ（ＮＯ）」を表示し、「はい（ＹＥＳ）」が選択された場合は、フォーラム詳細設定を中止し、フォーラム詳細設定画面を閉じる。一方、「いいえ（ＮＯ）」が選択された場合、メッセージを消去する。
【０１９７】
［作成］ボタン    
◎フォーラム詳細設定情報を作成（入力／設定）する。    
◎［図９］に示す、『フォーラム詳細設定を作成します』、「はい（ＹＥＳ）」／「いいえ（ＮＯ）」を表示し、「はい（ＹＥＳ）」の選択時には、［フォーラム詳細設定］を保存する。「いいえ（ＮＯ）」の選択時には、メッセージ（［図９］）を消去する。
【０１９８】
＜＜番組検索セット＞＞    
図１５に、実施形態に係る表示装置の画面表示の一例であって、［番組検索セット＜「Search Set N」＞］画面を示す。
【０１９９】
［番組検索セット＜「Search Set N」＞］画面は、    
◎タイトル＜「Title」＞    
◎キーワード＜「Keyword」＞    
◎チャンネル＜「Channel List」＞欄    
◎時間帯＜「Time Range」＞欄    
◎ジャンル＜「Genre」＞欄    
◎再放送区分＜「Rebroadcast」＞欄    
◎キャンセル（中止）＜「Cancel」＞ボタン    
◎プレビュー＜「Create」＞ボタン    
◎保存＜「Save」＞ボタン    
を含む。
【０２００】
リモコンキーと［フォーラム詳細設定］画面内の表示に対する動作を示す。
【０２０１】
［↑］キー    
［↓］キー    
［↑］キー    
［↓］キー    
◎個々の矢印キーは、［１］キャンセル（中止）ボタン、［２］プレビューボタン、［３］保存ボタンのいずれか、を、１つずつ移動する。
【０２０２】
図１５Ａは、図１５が示す画面表示の内容の一例であって、［番組検索セット］画面内の欄／ボタンの機能（表示）の内容を示す。
【０２０３】
［１］タイトル    
◎検索条件セットのタイトルを入力可能    
入力方法は、ＧＵＩを用いる直接入力（キーボード状入力画面）による。
【０２０４】
［２］キーワード    
◎キーワードを設定する    
［含む］欄（項目）の入力は必須
［または］欄と［除く］欄の入力は任意
すなわち、［含む］で設定したキーワードと［または］で設定したキーワードを含み、［除く］で設定したキーワードを除外する。
【０２０５】
入力方法は、ＧＵＩを用いる直接入力（キーボード状入力画面）による。
【０２０６】
［３］チャンネル    
◎検索対象のチャンネルを設定可能    
地上波（デジタル放送）チャンネル    
ＢＳ（放送衛星が中継する放送）チャンネル    
ＣＳ（通信衛星が中継する放送）チャンネル
を設定できる。
【０２０７】
［４］時間帯    
◎検索対象とする時間帯を設定可能    
◎設定できる時間は、    
ａ）午前（ＡＭ）５：００〜（翌日の）午前（ＡＭ）４：５９    
＊入力がない場合、省略とみなし、全時間帯（ａ））を自動的に設定    
ｂ）Ａ〜Ｂ（時間（時刻）Ａから時間（時刻）Ｂまで）    
ｃ）指定なし〜Ａ（午前（ＡＭ）５：００から時間（時刻）Ａまで    
ｄ）Ａ〜指定なし（時間（時刻）Ａから午前（ＡＭ）４：５９まで
である。入力方法は、数字（英字）キーによる直接入力である。
【０２０８】
［５］ジャンル    
◎検索対象のジャンルを設定可能    
設定方法は、ＧＵＩを用いる直接入力（キーボード状入力画面）及び数字（英字）キーによる直接入力による。
【０２０９】
［６］再放送区分    
◎検索対象に「再放送」番組を含むかどうかを設定可能で、スクロール式選択表示欄により、    
「含む」／「含まない」のどちらかを選択（［含む］／［含まない］の表示の切り換えにより選択）。
【０２１０】
［７］キャンセル（中止）ボタン    
◎番組検索セット編集をキャンセルする。
【０２１１】
［８］プレビューボタン
◎設定した条件で番組検索を行う    
プレビュー画面［図１６＜「Preview」＞］を表示する。
【０２１２】
［９］保存ボタン    
◎番組検索セット情報を保存する。
【０２１３】
図１５Ｂに、図１５が示す画面表示内の表示と制御指示との関係の一例であって、リモコンキーの操作と画面内の表示に対する動作を示す。
【０２１４】
［↑］キー    
［↓］キー    
◎個々の矢印キーは、［１］タイトル欄、［２］キーワード群（列）、［７］キャンセル／［８］プレビュー／、［９］保存群（列）、［３］チャンネル／［４］時間帯／［５］ジャンル／［６］再放送区分群（列）との間の選択切り換えを実行
◎個々の矢印キーは、［２］キーワード群（列）あるいは［３］チャンネル／［４］時間帯／［５］ジャンル／［６］再放送区分群（列）内のいずれか、を、１つずつ移動する。
【０２１５】
［決定］キー    
◎ボタンにフォーカスがある場合、そのボタンの機能を起動する（フォーカスがあるボタンの機能を起動する（ボタンの機能を実行する制御信号を出力する））。
【０２１６】
［戻る］キー    
◎［番組検索セット画面を閉じる。
【０２１７】
図１５Ｃは、図１５が示す画面表示内のボタン表示に対応するリモコンキーの操作と［番組検索セット］の画面表示内の表示に対応する動作を示す。
【０２１８】
［キャンセル］ボタン    
◎例えば、『検索条件を削除します。よろしいですか。』、及び「はい（ＹＥＳ）」／「いいえ（ＮＯ）」を表示し、「はい（ＹＥＳ）」が選択されると［番組検索セット］画面を閉じ、「いいえ（ＮＯ）」が選択されるとメッセージを消去する。
【０２１９】
［保存］ボタン    
図１０に一例として示す、『検索条件を保存します。よろしいですか。』、及び「はい（ＹＥＳ）」／「いいえ（ＮＯ）」を表示する。
【０２２０】
図１０において、「はい（ＹＥＳ）」選択時には、［番組検索セット］による検索結果を保存し、同画面を閉じる。
【０２２１】
図１０において、「いいえ（ＮＯ）」選択時には、同画面を消去する。
【０２２２】
＜＜番組検索結果（プレビュー）の表示＞＞
図１６は、実施形態に係る表示装置の画面表示の一例であって、［番組検索結果＜「Preview」＞］画面の一例を示す。
【０２２３】
図１５が示す［番組検索セット］画面において、プレビューボタンをオンすると表示される（表示が切り替わる）。
【０２２４】
◎検索結果画面表示
１画面表示内に、最大でＮ番組（個）、例えば６つの番組を表示できる。
【０２２５】
６より多い番組が検索できた場合、［次］ページに表示できる。
【０２２６】
図１６Ａは、図１６が示す画面表示（検索結果画面表示）の内容の一例であって、    
◎放送種別（［ＴＤ］／［ＢＳ］／［ＣＳ］表示）欄    
放送種別は、    
［ＴＤ］：通常（デジタル）放送    
［ＢＳ］：放送衛星が中継する衛星放送    
［ＣＳ］：通信衛星が中継する衛星放送    
を表示する。通常放送のうち、配信事業者（ケーブル局）等が再送する番組は、［ＴＤ］と表示する。
【０２２７】
◎チャンネル欄    
規定されたチャンネル表示を表示する。
【０２２８】
◎番組名欄    
ＥＰＧ（電子番組表）やサーバ（フォーラム）から取得する番組名（タイトル）を表示する。
【０２２９】
◎放送年月日：［yy(Year)/mm(Month)/dd(Day)］欄    
放送日時を、［yy(Year)/mm(Month)/dd(Day)］の順で表示する。
【０２３０】
◎放送時刻：［hh(Hour)/mm(Minite)〜hh(Hour)/mm(Minite)］欄    
放送日時を、［開始＜Leading end＞：hh(Hour)/mm(Minite)〜終了＜Termination end＞：hh(Hour)/mm(Minite)］の順で表示する。
【０２３１】
◎ジャンル欄    
ＥＰＧ（電子番組表）やサーバ（フォーラム）から取得する識別名（ジャンル）を表示する。
【０２３２】
図１６Ｂは、図１５が示す画面表示内のボタン表示に対応する動作の一例であって、リモコン操作によるカーソルの移動／ボタンの決定（選択）と画面表示の関係を示す。
【０２３３】
［戻る］キーまたはポップアップ画面表示内の［戻る］ボタン    
◎［検索結果］画面を閉じる。    
◎［番組検索セット］画面を表示する。
【０２３４】
＜＜メンバー選択＞＞    
図１７は、実施形態に係る表示装置の画面表示の一例であって、［メンバー選択＜「Selected Contacts」＞］画面の一例を示す。    
図１７が示す［メンバー選択］画面表示［０３８］は、
◎フレンド＜「Friend」＞一覧欄    
◎閉じる＜「Close」＞タグ    
◎選択済みフレンド＜「Friend Selected」＞一覧欄    
◎選択解除＜「Unselect all」＞ボタン    
◎キャンセル（中止）＜「Cancel」＞ボタン    
◎編集＜「Edit」＞ボタン    
◎追加＜「Add」＞ボタン    
を含む。
【０２３５】
図１７Ａは、図１７が示す画面表示の内容の一例であって、［メンバー選択］画面［０３８］内の欄／ボタンの機能（表示）を示す。
【０２３６】
［１］フレンド一覧    
◎友人（フレンド）関係となっているメンバーの一覧をアルファベット／五十音順で表示する。    
フレンド一覧に表示されているメンバーを、［↑］／［↓］カーソルで選択し（フォーカスをあて）［決定］キーを押下（オン）することにより［選択済みフレンド一覧］に追加可能（メンバーに追加される）。
【０２３７】
［２］閉じるタグ    
◎アルファベット／五十音単位で折りたたむことができる。    
デフォルトでは、折りたたまずに表示する。
【０２３８】
［３］選択済みフレンド一覧    
◎［フレンド一覧］から選択されたメンバーを表示する。    
［４］選択解除    
◎［選択解除］ボタンを押下（オン）することにより、選択済みのメンバーが解除される。
【０２３９】
［５］キャンセル（中止）    
◎［キャンセル］ボタンを押下（オン）すると、編集されていた内容をキャンセルしてメンバー選択画面を閉じる。
【０２４０】
［６−１］編集    
◎選択済みフレンドが表示するメンバーを１人ずつ編集（変更）可能であり、    
［編集］ボタンを押下（オン）すると、編集内容を保存して、メンバー選択画面を閉じる。
【０２４１】
［６］追加  
◎選択済みフレンド一覧が表示するメンバーに、メンバーを「追加」する。
【０２４２】
図１７Ｂに、図１７が示す画面表示内の表示と制御指示との関係の一例であって、リモコンキーと［メンバー選択］画面内の表示に対する動作を示す。      
［↑］キー    
［↓］キー    
◎個々の矢印キーは、［フレンド一覧］欄が表示する一人ひとりについて、１人ずつ移動する。
【０２４３】
◎個々の矢印キーは、［４］選択解除欄／［５］欄／［６］追加欄相互間で、１つずつ移動する。
【０２４４】
［←］キー    
［→］キー    
◎個々の矢印キーは、［１］フレンド一覧欄と、［３］選択済みフレンド一覧欄と、［４］選択解除欄／［５］キャンセル（中止）欄／［６］追加欄群との間の選択切り換えを実行する。
【０２４５】
◎［フレンド一覧］から［→］キーを押下すると、［追加］キーにカーソルを移動する。
【０２４６】
◎［選択解除］、［キャンセル（中止）］、［追加］ボタンのいずれかで［←］キーを押下すると、［フレンド一覧］欄の先頭にカーソルを移動する
［∧］キー（ジャンプカーソル）    
［∨］キー（ジャンプカーソル）    
◎［フレンド一覧］にフォーカスがある場合、ページアップ／ダウンを行う。
【０２４７】
［決定］キー    
◎［フレンド一覧］の場合、メンバー選択となり［選択済みフレンド一覧］へメンバー名を表示する。
【０２４８】
◎ボタンにフォーカスがある場合、そのボタンの機能を起動する（フォーカスがあるボタンの機能を起動する（ボタンの機能を実行する制御信号を出力する））。
【０２４９】
［戻る］キー    
◎［メンバー選択］画面を閉じる。
【０２５０】
図１７Ｃは、図１７が示す画面表示内のボタン表示に対応する制御入力と［メンバー選択］画面表示内の表示／動作を示す。
【０２５１】
［選択解除］ボタン    
◎『選択されている全てのメンバーを解除します。よろしいですか？』、及び「はい（ＹＥＳ）」／「いいえ（ＮＯ）」を表示し、「はい（ＹＥＳ）」選択時には、メンバーの解除を行う。一方、「いいえ（ＮＯ）」選択時には、メッセージ（ポップアップ）を消去する。
【０２５２】
［キャンセル］ボタン    
◎『メンバー選択を中止します。』、及び「はい（ＹＥＳ）」／「いいえ（ＮＯ）」を表示し、「はい（ＹＥＳ）」選択時は、メンバー選択を中止し、メンバー選択画面を閉じる。「いいえ（ＮＯ）」選択時は、メッセージ（ポップアップ）を消去する。なお、［戻る］キーを押下（オン）した場合も同様に、動作する（ものとする）。
【０２５３】
次に、図１１を参照して、フォーラムについて、より詳細に説明する。
【０２５４】
＜＜フォーラム概要＞＞    
図１８は、実施形態に係る表示装置の画面表示の一例を示す。
【０２５５】
図１８は、図１１に示すフォーラムトップ画面表示において、カーソルキーの操作により「フォーラム詳細」にフォーカスをあて、決定ボタンをオンすると、フォーラム一覧より選択したフォーラムに関し、フォーラムの内容（概要）を確認可能なフォーラム概要画面を表示する。
【０２５６】
フォーラム概要画面は、    
［１］購読する＜「Subscribe」＞ボタン    
［２］フォーラムマスタ欄    
［３］フォーラム概要欄    
を表示する。
【０２５７】
図１８Ａは、図１８が示す画面表示の内容の一例であって、［フォーラム概要］画面が表示する項目の内容を示す。
【０２５８】
［１］購読する    
◎［購読する］ボタンを押下すると、［購読フォーラム一覧（図１１の３列目）］へ登録される。
【０２５９】
［２］フォーラムマスタ    
◎該当のフォーラムのマスター（作成者）の情報を表示する。
【０２６０】
［３］フォーラム概要    
◎フォーラムの概要説明を表示する。表示内容が一画面で収まらない場合、［∧］キー（ジャンプカーソル）／［∨］キー（ジャンプカーソル）の操作により、一頁ずつ画面をスクロールできる。
【０２６１】
［戻る］キー    
◎フォーラムトップ画面を閉じ、クラウドホーム＜「Cloud HOME」＞画面に戻る。
【０２６２】
＜＜フォーラムメッセージ一覧＞＞
図１９は、実施形態に係る表示装置の画面表示の一例を示す。
【０２６３】
図１９は、図１１に示すフォーラムトップ画面表示において、カーソルキーの操作により「フォーラムメッセージ一覧」にフォーカスをあて、決定ボタンをオンすると、フォーラム一覧より選択したフォーラムにおける他のユーザからのメッセージを表示するフォーラムメッセージ一覧画面を表示する。
【０２６４】
フォーラムメッセージ一覧画面は、    
［１］購読する＜「Subscribe」＞ボタン    
［２］フォーラムメッセージ一覧欄    
を表示する。
【０２６５】
図１９Ａは、図１９が示す画面表示の内容の一例であって、［フォーラムメッセージ一覧］画面が表示する項目の内容を示す。
【０２６６】
［１］購読する    
◎［購読する］ボタンを押下すると、［購読フォーラム一覧（図１１の３列目）］へ登録される。
【０２６７】
［２］フォーラムメッセージ一覧    
◎フォーラムに投稿されたメッセージを新着順で表示する。    
◎一画面に表示できるメッセージは５個とする。    
メッセージが表示する情報は、以下の通りである    
投稿日    
投稿者（アイコン）    
投稿メッセージ（メッセージの先頭（所定文字数ＸＸ）文字）    
表示内容が一画面で収まらない場合、［↑］キー／［↓］キーの操作により、一行ずつ画面をスクロールできる。    
表示内容が一画面で収まらない場合、［∧］キー（ジャンプカーソル）／［∨］キー（ジャンプカーソル）の操作により、一頁ずつ画面をスクロールできる。
【０２６８】
［戻る］キー    
◎詳細メッセージ画面を閉じる。
【０２６９】
＜＜フォーラム詳細メッセージ）＞＞    
図２０は、実施形態に係る表示装置の画面表示の一例であって、［詳細メッセージ］画面［０３９］の画面表示の例を示し、図１９に示すフォーラムメッセージ一覧画面表示において、カーソルキーの操作により１つの「メッセージ」にフォーカスをあて、決定ボタンをオン（メッセージを選択）すると、ポップアップ表示する。
【０２７０】
詳細メッセージ画面［０３９］は、    
［１］メッセージ投稿情報＜「User name（ID）, dd（Date）, mm（Month）, yy（Year）」＞欄    
［２］詳細メッセージ＜「Message（Text）」＞欄    
［３］［返信＜「Reply to」＞］ボタン    
［４］［友人申請＜「Invitation request」＞］ボタン    
［５］［閉じる＜「Close」＞］ボタン    
を表示する。
【０２７１】
図２０Ａは、図２０が示す画面表示の内容の一例であって、詳細メッセージ画面［０３９］の画面表示の内容を示す。
【０２７２】
詳細メッセージ画面は、    
［１］メッセージ投稿情報＜「User name（icon）, dd（Date）, mm（Month）, yy（Year）」＞、すなわち、    
・投稿者＜User name（icon）＞    
・投稿日＜dd（Date）, mm（Month）, yy（Year）＞    
を表示する。
【０２７３】
［２］詳細メッセージ＞    
◎投稿されたメッセージの全文を表示する。
【０２７４】
表示内容が一画面で収まらない場合、［↑］キー／［↓］キーの操作により、一行ずつ画面をスクロールできる。
【０２７５】
表示内容が一画面で収まらない場合、［∧］キー（ジャンプカーソル）／［∨］キー（ジャンプカーソル）の操作により、一頁ずつ画面をスクロールできる。
【０２７６】
［３］［返信］    
◎［同報メッセージ送信］画面（ＩＮＢＯＸ（図３３）のメッセージ送信画面）を起動する。
【０２７７】
［４］［友人申請］    
◎［友人申請メッセージ送信］（ＩＮＢＯＸ（図３５）のメッセージ送信画面）画面を起動する。    
ログインユーザと［フォーラムメンバー一覧］画面から選択された参加メンバーとが友人関係ではない場合に表示される。
【０２７８】
［５］［閉じる］ボタン    
◎詳細メッセージ画面を閉じる。
【０２７９】
＜＜フォーラムメンバー一覧＞＞    
図２１は、実施形態に係る表示装置の画面表示の一例であって、［フォーラムメンバー一覧］画面の一例を示し、図１１に示すフォーラムトップ画面表示において、カーソルキーの操作により［フォーラム一覧］にフォーカスをあて、決定ボタンのオンにより表示させた［フォーラム一覧］画面の表示において、カーソルキーの操作により１つのフォーラムにフォーカスをあて、決定ボタンをオン（メッセージを選択）すると、ポップアップ表示する。
【０２８０】
図２１Ａは、図２１が示す画面表示の内容の一例であって、フォーラムメンバー一覧画面の画面表示の内容を示す。
【０２８１】
フォーラムメンバー一覧画面は、図２１Ａが示すように、該当のフォーラムを購読しているメンバーの一覧を、アルファベット／五十音順で表示する。
【０２８２】
◎それぞれのメンバーに対する表示内容は、例えば    
・投稿者＜User name（icon）＞    
・最新の投稿日＜dd（Date）, mm（Month）, yy（Year）／Latest＞    
・最新の投稿日    
・メッセージ投稿数    
である。
【０２８３】
フォーラムメンバー（数）が一画面で収まらない場合、［∧］キー（ジャンプカーソル）／［∨］キー（ジャンプカーソル）の操作により、一頁ずつ画面をスクロールできる。
【０２８４】
なお、各メンバー（メンバー１人）を選択する、すなわち任意のメンバーの欄にフォーカスをあて、［決定］キーをオンすることで、そのメンバーの詳細画面が表示される。
【０２８５】
［戻る］キーをオンすることで、フォーラムトップ画面を閉じる。
【０２８６】
＜＜フォーラムメンバー詳細＞＞
図２２に、実施形態に係る表示装置の画面表示の一例であって、［メンバー詳細＜「Member（Selected Contacts）」＞］画面表示の例を示す。
【０２８７】
図２１に示す［フォーラムメンバー一覧］の画面表示において、カーソルキーの操作により１人のメンバーにフォーカスをあて、決定ボタンをオン（メンバーを選択＜「Member（Selected Contacts）」＞）すると、図２２に示す［メンバー詳細］画面［０４０］の画面表示を、ポップアップ表示する。
【０２８８】
［メンバー詳細］画面［０４０］の画面表示は、    
［１］メンバー詳細＜「Member（Selected Contacts）」＞欄    
［２］［友人申請＜「Invitation request」＞］ボタン    
［３］［メッセージを送る＜「Send a private message」＞］ボタン    
［４］［閉じる＜「Close」＞］ボタン    
を表示する。
【０２８９】
図２２Ａは、図２２が示す画面表示の内容の一例であって、メンバー詳細画面が表示する内容を示す。    
［１］メンバー詳細    
◎メンバーの詳細を表示する。
【０２９０】
［２］［友人申請］    
◎［友人申請メッセージ送信］（ＩＮＢＯＸ（図３５）のメッセージ送信画面）画面を起動する。なお、この表示（画面の起動）は、ログインユーザと［フォーラムメンバー一覧］画面から選択された参加メンバーとが友人関係でない場合に表示される。
【０２９１】
［３］［メッセージを送る］    
◎［個人宛メッセージ送信］画面（ＩＮＢＯＸ（図３４）のメッセージ送信画面）を起動する。
【０２９２】
［４］［閉じる］ボタン    
◎メンバー詳細画面を閉じる。
【０２９３】
［↑］キー    
［↓］キー    
◎個々の矢印キーは、［１］メンバー詳細、［２］［友人申請］、［３］［メッセージを送る］を、１つずつ移動する。
【０２９４】
［決定］キー    
◎ボタンにフォーカスがある場合、そのボタンの機能を起動する（フォーカスがあるボタンの機能を起動する（ボタンの機能を実行する制御信号を出力する））。
【０２９５】
＜＜フォーラム検索＞＞
図２３に、実施形態に係る表示装置の画面表示の一例であって、［フォーラム検索］画面の表示例を示す。
【０２９６】
図１１に示す［フォーラムトップ］画面表示において、カーソルキーの操作により［フォーラム検索］にフォーカスをあて、決定ボタンをオンすると、図２３に示す［フォーラム検索］画面［０４１］の画面表示を、ポップアップ表示する。
【０２９７】
［フォーラム検索＜「Search Forum」＞］画面は、    
［１］キーワード＜「Search」＞欄    
［２］ジャンル＜「Genre」＞欄    
［３］［キャンセル＜「Cancel」＞］ボタン    
［４］［検索＜「Validate」＞］ボタン    
を表示する。
【０２９８】
図２３Ａは、図２３が示す画面表示の内容の一例であって、［フォーラム検索］画面［０４１］の画面表示の表示内容を示す。
【０２９９】
フォーラム検索画面は、    
［１］キーワード    
◎キーワードを入力する（文字入力については、デジタルＴＶのＧＵＩ（文字入力）画面を使用）。
【０３００】
［２］ジャンル    
◎ジャンルを選択する。
【０３０１】
［３］［キャンセル］ボタン    
◎［フォーラム検索］を中止する。
【０３０２】
［４］［検索］ボタン    
◎入力されたキーワードとジャンルと、より、条件に合った［フォーラム］の検索を行う。
【０３０３】
［決定］キー    
◎［キーワード］の場合は、文字入力を行う    
◎［ジャンル］の場合、ジャンル選択画面を表示する    
◎ボタンにフォーカスがある場合、そのボタンの機能を起動する。
【０３０４】
［戻る］キー    
◎［フォーラム検索］画面を閉じる。
【０３０５】
＜＜おまかせ録画基本設定＞＞    
図２４に、実施形態に係る表示装置の画面表示の一例であって、［おまかせ録画基本設定］画面の画面表示例を示す。
【０３０６】
図５Ａまたは図３Ａに示す［ホーム＜HOME）］画面表示において、カーソルキーの操作により［クラウドメニュー＜Cloud Menu＞］にフォーカスをあて、決定ボタンをオンすると、図２４に示す［おまかせ録画基本設定＜「Auto REC Setting」＞］画面を、ポップアップ表示する。なお、［フォーラムの購読（購入）＜「Subscribe」＞］設定を行う際に、［おまかせ録画＜「Auto REC」＞］の基本設定を行っていない場合にも起動される。
【０３０７】
図２４が示す［おまかせ録画基本設定］画面は、    
［１］録画先選択＜「Target Device」＞欄    
［２］録画時間選択＜「Available Recording Time」＞欄    
［３］優先度選択＜「Priority」＞］欄    
［４］キャンセル＜「Cancel」＞］ボタン    
［５］［ＯＫ（設定保存）］＜「ＯＫ＜Save＞」＞］ボタン    
を含む。
【０３０８】
図２４Ａは、図２４が示す画面表示の内容の一例であって、［おまかせ録画基本設定］画面が表示する項目を説明する。
【０３０９】
［１］録画先選択    
◎録画先選択画面（図３Ｅ）を表示し、ＨＤＤ（録画装置）を選択する。
【０３１０】
［２］録画時間選択    
◎録画時間選択画面（図３Ｆ）を表示し、録画時間を選択する。なお、表示する録画時間は、ＨＤＤの実効容量（制御情報や管理情報による占有がなく、ユーザがコンテンツの記録（保存）に利用できる）から計算して概算値を表示する。
【０３１１】
［３］優先度選択］    
◎購読しているフォーラムに関連付けされている番組を予約する際の優先度選択画面（図３Ｈ）を表示する。
【０３１２】
［４］［キャンセル］ボタン    
◎［おまかせ録画基本設定］を中止し、画面を閉じる。
【０３１３】
［５］［ＯＫ（設定保存）］ボタン    
◎［おまかせ録画基本設定］を保存し、画面を閉じる。
【０３１４】
なお、リモコン装置側の［決定］キーを操作（オン（押下））することにより、そのボタンの機能を起動する（フォーカスがある［ボタン］のボタンの機能を起動する（ボタンの機能を実行する制御信号を出力する））。すなわち、［１］録画先選択欄においては、上述の録画先選択画面（図３Ｅ）が表示される。また、［２］録画時間選択欄においては、上述の録画時間選択画面（図３Ｆ）が表示される。また、［３］優先度選択欄においては、上述の優先度選択画面（図３Ｈ）が表示される。
【０３１５】
また、リモコン装置側の［戻る］キーを操作（オン（押下））することにより、おまかせ録画基本設定を中止し、画面を閉じる。
【０３１６】
なお、図２４Ｂに示すように、［おまかせ録画基本設定］画面が表示する［ＯＫ（設定保存）］ボタンがオン（押下）された場合、例えば    
『設定を保存します。よろしいですか？』という主旨のメッセージと「はい（ＹＥＳ）」／「いいえ（ＮＯ）」ボタンからなるアラート画面を、ポップアップ表示する。
【０３１７】
上述のアラート画面（メッセージ画面）表示に対し、「はい（ＹＥＳ）」が選択された場合、設定を保存する。また、「いいえ（ＮＯ）」が選択された場合、アラート画面（ポップアップ）を消去する。
【０３１８】
＜＜おまかせ録画条件設定＞＞    
図２５は、実施形態に係る表示装置の画面表示の一例であって、［おまかせ録画条件設定＜「“+++ forum” forum auto recording setting」＞］参加したフォーラムで推薦されている番組を録画する場合の条件を設定する。
【０３１９】
図１１に示す［フォーラムトップ］画面表示において、カーソルキーの操作により［参加（購読／購入）済みフォーラム＜「Subscrived Forums」＞］にフォーカスをあて、決定ボタンをオンすると、図２５の［おまかせ録画条件設定＜「“+++ forum” forum auto recording setting」＞］画面が、ポップアップする。
【０３２０】
図２５が示す［おまかせ録画条件設定］画面は、    
［１］予約タイプ選択＜「Timer」＞欄    
［２］録画時間設定＜「Recording Time」＞欄    
［３］チャンネル選択＜「CH（Broadcasting）」／「CH（BS）」／（「CH（CS）」）＞］欄    
［４］キャンセル＜「Cancel」＞］ボタン    
［５］［ＯＫ（設定保存）］＜「ＯＫ＜Save＞」＞］ボタン    
を含む。
【０３２１】
図２５Ａに、図２５が示す画面表示の内容の一例であって、［おまかせ録画条件設定］画面の内容を示す。
【０３２２】
［１］予約タイプ選択    
◎視聴予約または録画予約を選択する＜＜録画予約のみ可能な機種もある＞＞。
【０３２３】
［２］録画時間設定    
◎録画時間設定画面（図３Ｍ）による、１日あたりの録画時間を制限する場合の選択（入力）を可能とする。
【０３２４】
［３］優先度選択    
◎チャンネル選択画面（図３Ｑ）を表示し、通常放送（地上デジタル）／ＢＳ（デジタル）／ＣＳ（デジタル）のそれぞれについて、録画先チャンネルの選択（入力）を可能とする。
【０３２５】
［４］［キャンセル］ボタン    
◎おまかせ録画条件設定を中止し、画面を閉じる。
【０３２６】
［５］［保存］］ボタン    
◎おまかせ録画条件設定を保存し、画面を閉じる。
【０３２７】
なお、リモコン装置側の［決定］キーを操作（オン（押下））することにより、そのボタンの機能を起動する（フォーカスがある［ボタン］のボタンの機能を起動する（ボタンの機能を実行する制御信号を出力する））。すなわち、各種設定選択では、各設定値の選択画面を表示する。
【０３２８】
また、リモコン装置側の［戻る］キーを操作（オン（押下））することにより、おまかせ録画基本設定を中止し、画面を閉じる。
【０３２９】
なお、図２５Ｂに示すように、おまかせ録画条件設定画面が表示する［保存］ボタンがオン（押下）された場合には、例えば、    
『設定を保存します。よろしいですか？』、及び「はい（ＹＥＳ）」／「いいえ（ＮＯ）」ボタンを有するアラート画面を、ポップアップ表示する。
【０３３０】
アラート画面表示に対して、「はい（ＹＥＳ）」を選択した場合、設定を保存する。
【０３３１】
一方、「いいえ（ＮＯ）」を選択した場合、アラート画面を消去する。
【０３３２】
＜＜予約時間設定＞＞    
図２６に、実施形態に係る表示装置の画面表示の一例であって、図２５に示した［おまかせ録画条件設定］により、参加したフォーラムで推薦されている番組を録画する一日あたりの条件である［予約時間設定＜「“Recording” for Timer on a day」］を設定する画面表示例を示す。
【０３３３】
図２６が示す［予約時間設定］画面は、    
［１］１時間／日＜「1 hour a day」＞欄    
［２］３時間／日＜「3 hours a day」＞欄    
［３］６時間／日＜「6 hours a day」＞欄    
［４］制限なし＜「All」＞欄    
を含む。
【０３３４】
図２６Ａに、図２６が示す画面表示の内容の一例であって、［予約時間設定］画面が表示する表示内容を示す。
【０３３５】
［１］１時間／日    
◎フォーラムに登録された番組を１時間／日の制限で録画する。
【０３３６】
［２］３時間／日    
◎フォーラムに登録された番組を３時間／日の制限で録画する。
【０３３７】
［３］６時間／日    
◎フォーラムに登録された番組を６時間／日の制限で録画する。
【０３３８】
［４］制限なし    
◎フォーラムに登録された番組の制限を設けずに録画する。
【０３３９】
なお、リモコン装置側の［決定］キーを操作（オン（押下））することにより、選択された予約時間を設定（保存）し、画面を閉じる。
【０３４０】
また、リモコン装置側の［戻る］キーを操作（オン（押下））することにより、［予約時間設定］画面を閉じる。
【０３４１】
なお、［予約時間設定＜「“Recording” for Timer on a day」＞］に代えて、ユーザ（フォーラム）の人気度合い、すなわちランキングを参照して予約録画を設定することも可能である。例えば、図３Ｍが示す［予約設定＜「“Recording” with Ranking」＞］画面における    
［１］３位以内＜「within TOP 3」＞欄    
［２］５位以内＜「within TOP 5」＞欄    
［３］１０位以内＜「within TOP 10」＞欄    
［４］全て＜「All」＞欄    
を用い、［１］３位以内、［２］５位以内、［３］１０位以内、［４］全てのいずれか、を選択してフォーラムに登録された番組の録画を制限することができる。
【０３４２】
＜＜チャンネル選択＞＞    
図３Ｐに、図２５に示した［おまかせ録画条件設定］において、参加したフォーラムで推薦されている番組を録画する対象のチャンネル（放送事業者）、すなわち［チャンネル選択＜「“Recording” with CH（Broadcasting）／CH（BS）／CH（CS）」＞］を設定する画面を示す。なお、［チャンネル選択］画面（図３Ｐ）は、図２５が示す［おまかせ録画条件設定］画面から、地上デジタル、ＢＳデジタル、ＣＳデジタルのいずれかのチャンネルを選択すると、起動する。この設定画面から、［おまかせ録画］の対象としたフォーラムに登録された番組に対して、録画対象としたいチャンネルの制限を設定する。
【０３４３】
図３Ｐが示す［チャンネル選択］画面は、    
［１］対象外（録画しない）＜「Nothing」＞欄    
［２］制限なし（すべて録画）＜「All」＞欄    
［３］詳細設定（チャンネル別設定）＜「Separate Setting」＞欄    
を含む。
【０３４４】
図２７に、図３Ｐの［チャンネル選択］画面表示が表示する内容を示す。
【０３４５】
［１］対象外    
◎選択された放送（地上デジタル、ＢＳデジタル、ＣＳデジタル）の番組を録画対象外とする（録画しない）。
【０３４６】
［２］制限なし    
◎選択された放送（地上デジタル、ＢＳデジタル、ＣＳデジタル）の番組を全て録画対象とする。
【０３４７】
［３］詳細設定    
◎選択された放送（地上デジタル、ＢＳデジタル、ＣＳデジタル）の詳細のチャンネルを設定する（放送事業者ごとに、チャンネル詳細設定画面（図３Ｑ）により、「録画する」／「録画しない」を設定する）。
【０３４８】
なお、リモコン装置側の［決定］キーを操作（オン（押下））することにより、選択されたチャンネル選択を設定する。
【０３４９】
また、リモコン装置側の［戻る］キーを操作（オン（押下））することにより、［チャンネル選択］画面を閉じる。
【０３５０】
＜＜チャンネル詳細設定＞＞    
図３Ｑに、図３Ｐに示した［チャンネル選択］において、参加したフォーラムで推薦されている番組を録画する対象のチャンネル（放送事業者）、すなわち［チャンネル詳細設定＜「“Recording” with detailed CH（channel）」＞］を設定する画面を示す。
【０３５１】
なお、［チャンネル詳細設定］は、図３Ｐが示す［チャンネル選択］画面から、チャンネル詳細設定を選択すると起動される。ここでは、おまかせ録画対象としたフォーラムに登録された番組に対して、録画対象としたい放送（地上デジタル、ＢＳデジタル、ＣＳデジタル）のそれぞれについて、個別にチャンネルを設定する。
【０３５２】
図３Ｑが示す［チャンネル詳細設定］画面は、    
［１］選択チェックボックス群    
［２］チャンネル（名表示）欄    
［３］［キャンセル］ボタン    
［４］［ＯＫ］ボタン    
を含む。
【０３５３】
図２８に［チャンネル詳細設定（図３Ｑ）］画面表示が表示する内容を示す。
【０３５４】
［チャンネル詳細設定］は、    
［１］選択チェックボックス    
◎録画対象とするチャンネルを選択する（チャンネル名表示に対応して用意され、チェックが入れられたボックスに対応するチャンネルを録画対象とする）    
［２］チャンネル（名表示）    
◎おまかせ録画条件設定で選択された放送（地上デジタル、ＢＳデジタル、ＣＳデジタル）のチャンネル一覧を表示する。表示順番は、ユーザが設定可能    
［３］［キャンセル］ボタン    
◎チャンネル詳細選択を中止し、画面を閉じる、及び
［４］［ＯＫ］ボタン    
◎チャンネル詳細選択の設定を保存し、画面を閉じる、    
を含む。
【０３５５】
なお、選択チェックボックスにおいては、リモコン装置側の［決定］キーを操作（オン（押下））することにより、チェックのオン（ＯＮ）／オフ（ＯＦＦ）を行う。
【０３５６】
また、リモコン装置側の［戻る］キーを操作（オン（押下））することにより、［チャンネル詳細設定］画面を閉じる。
【０３５７】
なお、［ＯＫ］ボタンがオン（押下）された場合、例えば『設定を保存します。よろしいですか？』、及び「はい（ＹＥＳ）」／「いいえ（ＮＯ）」ボタンからなり、ユーザの確認を促すアラート画面がポップアップする。
【０３５８】
アラート画面（ポップアップ）に対し、「はい（ＹＥＳ）」を選択すると、設定を保存する。また、「いいえ（ＮＯ）」を選択すると、アラート（メッセージ）を消去する。
【０３５９】
＜＜フォーラム別優先度＜「Recording Priority」＞＞
図３Ｈは、図３Ｃの［おまかせ録画設定］画面において、［フォーラム優先度］が選択された場合の［フォーラム別優先度＜「Recording Priority」＞設定］画面を示す。なお、ここでは、図３Ｃの［おまかせ録画設定］画面への入力（応答）において、ユーザ（複数であってもよい）が設定したフォーラムのおまかせ録画を行う際の、フォーラムに対する優先度を設定する。また、図３Ｈから明らかなように、優先度は、ユーザを含めて設定可能である。
【０３６０】
図３Ｈが示す［フォーラム優先度］画面は、    
［１］フォーラム一覧＜「List」＞欄    
［２］選択済みフォーラム（表示）＜「Selected Forum」＞欄    
を含む。
【０３６１】
図２９に、［フォーラム優先度］画面表示が表示する内容を示す。
【０３６２】
［１］フォーラム一覧＜「List」＞    
◎設定されたフォーラムの一覧を表示する。
【０３６３】
［２］選択済みフォーラム＜「Selected Forum」＞（表示）    
◎リモコンのカーソル移動により、選択されたフォーラムを表す。
【０３６４】
選択後、リモコンの［↑］［↓］キーにより、フォーラムの移動が行われて、優先度を決定する（優先度が高い順）。
【０３６５】
なお、リモコン装置側の［決定］キーを１回［１度目］の操作（オン（押下））により、対象のフォーラムを選択する。また、もう１回［２度目］操作（オン（押下））することにより、選択されたフォーラムの選択を解除する。
【０３６６】
また、リモコン装置側の［戻る］キーを操作（オン（押下））することにより、［フォーラム優先度］画面を閉じる。
【０３６７】
なお、［ＯＫ］ボタンがオン（押下）された場合は、アラート画面表示に準じたユーザの確認を促すアラート画面が表示され、「はい（ＹＥＳ）」／「いいえ（ＮＯ）」いずれかの（ユーザ）入力を受け付ける。
【０３６８】
また、図３Ｈが示す［フォーラム優先度］画面は、図３Ｃに示す［おまかせ録画関連設定］に従う、優先度選択＜「Priority」＞を設定する画面表示であり、家族の一人、例えば父が購読しているフォーラム    
［ａ］アメフト＜「American football」＞ファンフォーラム、    
例えばサヤ（家族）、が購読しているフォーラム    
［ｂ］ケルト音楽＜「Celtic music」＞フォーラム、    
［ｃ］ゴルフ＜「Golf fun」＞フォーラム、    
［ｄ］人気ランキング＜「Ranking」＞フォーラム、    
［ｅ］Ｆ△Ｆ△＜「Football」＞フォーラム、    
等を含む。
【０３６９】
また、図３Ｈが示す例では、最後に設定したフォーラムの優先度が、保存される。すなわち、例えば父が購読している［ａ］アメフト＜「American football」＞ファンフォーラムの優先度が、サやが購読している［ｂ］ケルト音楽＜「Celt music」＞フォーラムよりも優先することになる。
【０３７０】
＜＜クラウド設定＜「Cloud Selection POPUP」＞＞＞    
図３Ｂは、テレビ装置１０１を起動した際に表示されるホーム画面から［クラウド設定］を選択した場合の画面表示例を示す。
【０３７１】
図５Ａまたは図３Ａに示す［ホーム＜「HOME」＞］画面表示において、カーソルキーの操作により［クラウドメニュー＜「Cloud Menu」＞］にフォーカスをあて、決定ボタンをオンすると、図３Ｂに示す［クラウド設定＜「Cloud Selection POPUP」＞］画面を、ポップアップ表示する。
【０３７２】
図３Ｂに示す［クラウド設定］画面表示は、図３Ｃが示す［おまかせ録画関連設定］画面を起動する。
【０３７３】
なお、リモコン装置の［決定］キーの操作（オン（押下））により、メニュー内の対応する機能の画面が起動する
また、リモコン装置の［戻る］キーを操作（オン（押下））することにより、［クラウド設定］画面を閉じる。
【０３７４】
＜＜おまかせ録画関連設定＞＞    
図３Ｃは、［おまかせ録画関連設定＜「Auto REC Subetting」＞］の画面表示の例を示す。
【０３７５】
図３Ｂで説明した［クラウド設定］画面からの［おまかせ録画関連設定］画面は、    
［１］おまかせ録画設定ＯＮ＜「Auto Recording ON」＞欄    
［２］おまかせ録画設定ＯＦＦ＜「Auto Recording OFF」＞欄    
［３］番組リスト更新＜「Updating the Recording List」＞欄    
［４］優先度設定＜「Priority」＞欄    
を含む。
【０３７６】
図３０は、図３Ｃが示す画面表示の内容の一例であって、［おまかせ録画関連設定］画面の表示内容の例を示す。
【０３７７】
［１］おまかせ録画設定ＯＮ＜「Auto Recording ON」＞    
◎録画時間選択画面（図３Ｆ）を表示し、録画時間の選択（設定）を促す。
【０３７８】
◎録画先選択画面（図３Ｅ）を表示し、ＨＤＤ（録画装置）の選択（設定）を促す。
【０３７９】
［２］おまかせ録画設定ＯＦＦ＜「Auto Recording OFF」＞    
◎おまかせ録画設定をＯＦＦにする。
【０３８０】
［３］番組リスト更新＜「Updating the Recording List」＞    
◎おまかせ録画の番組リスト（予約リスト）を更新する（優先度を伴う図３Ｈの形式）を表示する。
【０３８１】
［４］優先度選択＜「Priority」＞    
◎フォーラム別優先度設定（優先度選択画面（図３Ｈ）を起動する。
【０３８２】
なお、リモコン装置側の［決定］キーを操作（オン（押下））することにより、そのボタンの機能を起動する（フォーカスがある［ボタン］のボタンの機能を起動する（ボタンの機能を実行する制御信号を出力する））。すなわち、［１］おまかせ録画設定ＯＮ欄においては、上述の録画時間選択画面（図３Ｆ）と録画先選択画面（図３Ｅ）とを表示可能に、図３Ｄが起動する。また、［４］優先度選択欄においては、上述の優先度選択画面（図３Ｈ）が表示される。
【０３８３】
また、リモコン装置側の［戻る］キーを操作（オン（押下））することにより、おまかせ録画基本設定を中止し、画面を閉じる。
【０３８４】
なお、［３］番組リスト更新欄においては、リモコン装置側の［決定］キーを操作（オン（押下））することにより、番組リストの更新処理のステータスにより、ポップアップにて、    
［ａ］正常終了（更新データが０件の場合）：    
番組リストはありません。    
［ｂ］正常終了（更新データが１件以上の場合）：    
番組リストが更新されました。    
［ｃ］異常終了時：    
番組リストの更新が失敗しました。再度、実行してください。    
のメッセージ（図３１）を出力（表示）する。
【０３８５】
＜＜おまかせ録画関連設定＞＞
図３Ｃが説明するおまかせ録画設定ＯＮ時には、図３０が示すように、    
［１］図３Ｄ（画面名［００４］）の画面表示中の録画先＜「Target Device」＞選択に従う、録画先選択画面（図３Ｅ（画面名［おまかせ録画設定］））表示からのＨＤＤ（録画装置）の選択と、    
［２］同じく図３Ｄの画面表示中の録画時間＜「Available Recording Time」＞選択に従う、録画時間選択画面（図３Ｆ（画面名［０１１］））表示からの録画時間の選択と、    
を選択する。
【０３８６】
図３Ｅは、図３Ｄ（画面名［００４］）の画面表示中の録画先＜「Target Device」＞選択に従いＨＤＤ（録画装置）を選択する画面表示であり、録画先ＨＤＤ（ＵＳＢ（Universal Serial Bus）接続のハードディスク装置）として、    
［１］ＵＳＢ接続のＨＤＤ１＜USB HDD1＞    
［２］ＵＳＢ接続のＨＤＤ２＜USB HDD2＞    
［３］ＵＳＢ接続のＨＤＤ３＜USB HDD3＞    
のいずれかを、おまかせ録画において設定された番組の保存先として設定可能に、ＨＤＤ（ハードディスク装置）名を表示した欄を含む。
【０３８７】
図３Ｅにおいては、リモコン装置の［決定］キーを操作（オン（押下））することにより、フォーカスがある［欄］で示すＨＤＤを、おまかせ録画で設定された番組の保存先として設定できる。
【０３８８】
すなわち、図３２に示すように、ユーザが、任意の録画先（機器）を選択できる。なお、図３Ｄの画面表示は、録画先として、ＨＤＤ１が選択された例を示している。
【０３８９】
図３Ｆは、時間選択＜「Available Recording Time」＞に従う、録画時間の選択を可能とする画面表示であり、録画先ＨＤＤ（ハードディスク装置）の実効容量（制御情報や管理情報による占有がなく、ユーザがコンテンツの記録（保存）に利用できる）に占める録画時間のとして、    
［１］１０％／ＰＰ時間    
［２］２５％／ＱＱ時間    
［３］５０％／ＲＲ時間    
［４］７５％／ＳＳ時間    
［５］９０％／ＴＴ時間    
のいずれかを、おまかせ録画で設定された番組の保存先として設定されたＨＤＤ（ハードディスク装置）に録画可能であることを表示した欄を含む。
【０３９０】
図３Ｆにおいては、リモコン装置の［決定］キーを操作（オン（押下））することにより、フォーカスがある［欄］で示すＨＤＤの容量を、おまかせ録画で設定された番組の保存先として設定できる。
【０３９１】
図３３〜図３５は、それぞれ、フォーラムの参加メンバーに対してのメッセージを入力するための［同報メッセージ送信・保管］、フォーラムの参加メンバー内の指定した個人に対してのメッセージを入力するための［個人宛メッセージ送信・保管］、フォーラムの参加メンバー内の指定した個人に対してのお誘いメッセージを入力するための［お誘いメッセージ送信・保管］画面表示の例を示す。
【０３９２】
図３３〜図３５が示す［同報メッセージ送信・保管］、［個人宛メッセージ送信・保管］、［お誘いメッセージ送信・保管］画面においては、選択したフォーラムに参加しているメンバーより選択された個人に対して、メッセージを作成して送信を行う。なお、送信メッセージはキーボードからの入力のほか、幾つかの定型メッセージを用意し、そこから選択することも可能とする。また、入力方法は、ＧＵＩを用いる直接入力（キーボード状入力画面（ＩＮＢＯＸ）である。
【０３９３】
なお、図３３は、同報メッセージ送信向けであり、あて先が「フォーラムメンバー＜「Forum Member」＞」であり、図３４及び図３５の例は、あて先が「個人名」である。
【０３９４】
また、それぞれの画面においては、メッセージの入力及び入力メッセージの送信を中止する「キャンセル」ボタン、入力メッセージを保存する「保存」ボタン、入力メッセージを送信する「送信」ボタンが、用意される。
【０３９５】
なお、［友人申請＜「Invitation request」＞］についても、同様のＩＮＢＯＸ画面を用いて、メッセージを入力可能である。
【０３９６】
図３６は、［おまかせ録画＜「Auto Recording」＞］が設定されていない状態（未設定時）の動作を示す。
【０３９７】
フォーラムの購読による録画予約あるいは視聴予約は、テレビ受信装置本体において、おまかせ録画の設定を行っている必要がある。このため、フォーラム一覧から購読設定を行う際に、おまかせ録画設定の有無をチェックし、未設定の場合にはアラートメッセージを表示させて、おまかせ録画の設定を行うように誘導する必要がある。
【０３９８】
図３６に示すように、おまかせ録画設定は、フォーラムの購読と関連して、フォーラム選択［３６−１］、［購読する］ボタンオン（押下）［３６−２］、購読確認ポップアップメッセージ表示［３６−３］に続いて、おまかせ録画設定あり？［３６−４］で、おまかせ録画設定が設定済みであることをチェックする［３６−４−ＹＥＳ］。
【０３９９】
おまかせ録画設定が未設定である場合［３６−４−ＮＯ］、おまかせ録画を設定する意思を確認するポップアップメッセージを表示し［３６−５］、「おまかせ録画基本設定」画面を表示しておまかせ録画の設定を促す［３６−６］。
【０４００】
以下、「おまかせ録画条件設定」／「おまかせ録画関連設定」画面を順次表示し、フォーラムの購読による録画予約あるいは視聴予約が可能に、［おまかせ録画］の設定完了に導く。
【０４０１】
なお、［クラウド設定＜「Cloud Selection POPUP」＞］画面は、テレビ装置１０１の仕様により、図１Ｂが示すように、［アバター設定＜「“Avatar” setting」＞］画面を起動可能である。
【０４０２】
すなわち、図１Ａに示す［ホーム＜「HOME」＞］画面において、［クラウドメニュー＜「Cloud Menu」＞］にフォーカスをあてて決定ボタンをオンし、図１Ｂに示す［クラウド設定］画面をポップアップ表示させると、図１Ｃに示すように、［アバター設定＜「“Avatar” tile setting」＞］を設定可能となる。
【０４０３】
［アバター設定（タイル設定）］画面は、図１Ｄに示すように、お勧めの通知の間隔（時間周期＜「Recommendation period」＞）を選択可能であり、例えば１０分＜「10 minutes」＞、５分＜「5 minutes」＞、１分＜「a minute」＞のいずれかを設定可能である。
【０４０４】
なお、図１Ｅ（画面番号［０３４］）は、図１Ａに示す［ホーム＜「HOME」＞］画面において、「ＨＯＴＬＩＳＴ  ＡＶＡＴＡＲ」ボタンをオンした場合のフォーラムトップ画面表示の表示例である。
【０４０５】
［ホーム＜「HOME」＞］画面（画面番号［０３４］）から、応答１−１０５〜選択１−１により、以下に示すタイムオンモード＜「Timeon」＞の設定を促す［インビテーション＜「Invitation massage」＞］画面の画面表示［Ｓ３］（図１Ｆ）を表示する。
【０４０６】
応答１−１０６に従う、画面表示［Ｓ３］は、図１Ｆに示す遷移画面の画面の画面表示［０３５］に続く［ログイン＜Login popup＞画面］及び［クラウド設定＜「Cloud Setting Create Timeon Account」＞］の一例を示す。
【０４０７】
画面表示［Ｓ３］において、［ログイン＜Login＞］を選択すると、応答１−１０９に従い、［ログイン＜Login popup＞画面］を表示する。
【０４０８】
画面表示［Ｓ３］において、「Create Timeon Account」を選択すると、応答１−１１０に従い、タイムオンモード＜「Timeon」＞への参加のためのアカウント設定を促す［クラウド設定＜「Cloud Setting Create Timeon Account」＞］を表示する。
【０４０９】
なお、リモコン装置の［決定］キーの操作（オン（押下））により、メニュー内の通知の間隔（時間周期＜「Recommendation period」＞）を選択できる。
【０４１０】
また、リモコン装置の［戻る］キーを操作（オン（押下））することにより、［通知の間隔（時間周期＜「Recommendation period」＞）］を中止し、画面を閉じる。
【０４１１】
次に、テレビ装置１０１の表示部に表示する画面表示及び画面表示に対するユーザ入力または設定もしくは選択指示、等に対応する画面表示の遷移を示す。なお、図１〜図５のそれぞれにおいて、図１における［１Ａ］〜［１Ｆ］、図２における［１Ｅ］、［２Ａ］〜［２Ｎ］及び［２Ｐ］〜［２Ｚ］、［３Ｐ］、［３Ｑ］及び図３における［２Ｚ］、［３Ａ］〜［３Ｎ］及び［３Ｐ］〜［３Ｓ］、図４における［１Ｆ］、［２Ａ］、［２Ｂ］、［２Ｄ］、［２Ｅ］、［２Ｌ］、［２Ｍ］、［２Ｎ］、［２Ｑ］、［２Ｒ］、［２Ｓ］及び［２Ｚ］、図５における［３Ｂ］、［３Ｃ］、［３Ｅ］、［３Ｆ］、［３Ｈ］〜［３Ｎ］及び［３Ｐ］〜［３Ｒ］、［５Ａ］〜［５Ｄ］等で示す画面表示は、同時に全ての表示が表示されることはなく、それぞれ、リモコン操作による選択入力指示、あるいは画面表示中の［決定］ボタン／［戻る］ボタン、等をオン（押下）することにより制御信号が出力され、画面表示が遷移することを示す。
【０４１２】
図２及び図３は、クラウドサービスと接続するテレビ装置における画面表示、及び画面表示に対するユーザ入力あるいは設定もしくは選択指示、等に対応する画面表示の遷移を示す。なお、図２及び図３は、ステート２＜State 2＞と称する、フォーラム購読のない状態における画面表示及びその遷移を示す。
【０４１３】
テレビ装置を起動すると、［３Ａ（図３Ａ）］が示す「ホーム（ステート２）」画面を表示する。
【０４１４】
ユーザがフォーラムメンバーではない場合、図３Ａが示す「ホーム画面」が示す「クラウド設定」ボタンをオンすることで、［３Ｂ（図３Ｂ）］が示す「クラウド設定画面」を表示する。
【０４１５】
図３Ｂが示す「クラウド設定画面」において「おまかせ設定」タブを選択すると、応答３−１０３に従い、［３Ｃ（図３Ｃ）］が示す「おまかせ録画設定画面（画面表示番号なし）」を、表示する。
【０４１６】
図３Ｃが示す「おまかせ録画設定画面」において「おまかせ録画  オン」タブを選択すると、応答３−１０４に従い、［３Ｄ（図３Ｄ）］が示す「おまかせ録画機器設定画面（画面名［００４＜「Device Setting」＞］）」を、表示する。なお、「おまかせ録画機器設定画面［００４］」は、［３Ｓ（図３Ｓ）］が示す「マイページ画面（ステート２）」における「おまかせ録画」ボタンからの応答３−１２７及び応答３−１２７に基づく選択３−３＜Ｎ＞に従う応答３−１１１についても同様である。
【０４１７】
図３Ｄが示す「おまかせ録画機器設定画面［００４］」の「録画先」タブを選択すると、応答３−１０５に従い、［３Ｅ（図３Ｅ）］が示す「録画機器選択画面（画面名［０１０］）」を、表示する。なお、図３Ｅにおいて選択入力（指示）された「録画機器」の情報は、テレビ装置内の所定の記録領域で保持する。図３Ｅにおいて「録画機器」の選択が終わると、応答３−１０６に従い「おまかせ録画機器設定画面［００４］」に戻る。
【０４１８】
図３Ｄが示すおまかせ録画機器設定画面［００４］の「録画時間」タブを選択すると、応答３−１０７に従い、［３Ｆ（図３Ｆ）］が示す録画時間選択画面（画面名［０１１］）を、表示する。なお、図３Ｆにおいて、「録画時間」が選択されると、応答３−１０６に従い、おまかせ録画機器設定画面［００４］に戻る。
【０４１９】
図３Ｄが示すおまかせ録画機器設定画面［００４］の画面表示に対応する設定が終了すると、［３Ｇ（図３Ｇ）］が示すアラート（設定終了確認）画面表示（画面名［０１３］）を表示する。
【０４２０】
図３Ｇが示すアラート画面［０１３］において、設定終了を入力すると、［２Ｚ（図２Ｚ）］が示すフォーラムトップ画面表示（画面名［００１］）を表示する。なお、図３Ｇは、図５が示すステート３（＜State 3＞と称する、フォーラム購読中のユーザへの画面表示で用いる場合においては、「いいえ」ボタンを選択すると、応答５−１１１に従い、ホーム画面［５Ａ］へ戻る。
【０４２１】
図３Ｃが示すおまかせ録画設定画面において、「フォーラム優先度」タブを選択すると、応答３−１１２に従い、［３Ｈ（図３Ｈ）］が示す優先度設定画面（画面名［０１２］）を、表示する。なお、優先度の設定については、図５４及び図５５が説明する。
【０４２２】
一方、ユーザがフォーラムメンバーである（フォーラムの購読はない／もしくは購読の追加が期待できる）場合、図３Ａのホーム画面（ステート２）においてフォーラムボタンをオンすることで、応答３−１０１に従い、［２Ｚ（図２Ｚ）］が示すフォーラムトップ画面（画面名［００１＜「Forum TOP」＞］）を表示する。すなわち、ユーザに『フォーラムの新規購読』あるいは『追加購読』をお勧めする。
【０４２３】
図２Ｚが示すフォーラムトップ画面名［００１］において、「Forum List」列表示において反転表示されている「“GolfGolfGolf” forum」を購読する場合、「“GolfGolfGolf” forum」表示にフォーカスをあて、決定キーをオンすることで、応答３−１１３に従い、［３Ｉ（図３Ｉ）］アラート（購読確認）画面表示（画面名［００２］）を表示する。
【０４２４】
アラート画面［００２］において、同意を入力（「はい」ボタンをオン）すると、選択３−１＜Ｙ＞及び応答３−１１５に従う自動録画（おまかせ録画）設定＜「Cloud Auto Record Setting」＞のオン／オフの確認画面（画面名［００３］（図３Ｊ））からの応答に応じた自動録画（おまかせ録画）の実行の再確認である選択３−２に従う録画先機器設定＜「Native Device Setting」＞の有無の確認３−１１６を経て、図３Ｋ（画面名［００４］）が示す録画先機器設定画面による録画先機器の設定、及び図３Ｌ（画面名［００５］）が示す自動録画（おまかせ録画）設定画面による１日あたりの録画時間／対象とするチャンネルの設定終了の後、応答３−１２６に従い、再び図２Ｚが示すフォーラムトップ画面名［００１］に戻る。
【０４２５】
なお、選択３−１に従う自動録画（おまかせ録画）設定を＜Ｎ＞とすること（応答３−１１６）は、『番組を録画しないが視聴したい』場合の視聴予約である。
【０４２６】
また、図３Ｌが示す設定画面に対する応答３−１２０に対応し、［３Ｍ（図３Ｍ）］が示す録画時間設定画面（画面名［００６］）及び［３Ｎ（図３Ｎ）］が示す録画時間（ランキング優先）設定画面（画面名［００７］）を表示する。なお、図３Ｍ及び図３Ｎは、図２６において詳細に説明する。
【０４２７】
また、図３Ｌが示す設定画面に対する応答３−１２１に対応し、［３Ｐ（図３Ｐ）］が示す録画対象の放送形態別（衛星放送を含む／含まない）のチャンネル設定画面（画面名［００８］）を表示する。なお、図３Ｐが示す画面表示への入力については、図２７において詳細に説明する。また、図３Ｐによる設定結果は、記録領域が記録し、それぞれ応答３−１２２、応答３−１２４により、図３Ｌ（画面名［００５］）に戻る。一方、図３Ｐによる選択については、応答３−１２３に従う（チャンネル）個別設定が選択された場合に［３Ｑ（図３Ｑ）］が示すチャンネル（放送事業者）別設定画面（画面名［００９］）を表示する。なお、図３Ｑ画面表示への入力については、図２８において詳細に説明する。また、図３Ｑによる設定結果は、記録領域が記録し、応答３−１２５により、図３Ｌ（画面名［００５］）に戻る。
【０４２８】
なお、ユーザがフォーラムメンバーであり、既に購読しているフォーラムが有る場合には、［３Ｓ（図３Ｓ）］が示す「マイページ」が起動画面となる。
【０４２９】
図３Ｓに示すマイページ画面において、フォーラムを開く（画面中のアイコン（ボタン表示）にフォーカスをあて、決定キーをオンする）と、応答３−１２７に従い、選択３−３における「Native Auto Recording List」を取得する（すなわち自動録画予約に従う予約リストを取得するためにサーバへアクセスすることへの同意が求められる）。
【０４３０】
選択３−３において＜Ｙ＞を選択、すなわち「Native Auto Recording List」の取得に同意することで、応答３−１２８に従い、［３Ｒ（図３Ｒ）］が示す「Native Auto Recording List」をダウンロードし、表示する。
【０４３１】
図２は、図３Ａが示す「ホーム（ステート２）」画面においてフォーラムボタンをオンした場合の応答３−１０１に従う図２Ｚの画面表示（画面名［００１＜「Forum TOP」＞］）すなわち、フォーラムトップ画面表示、及び画面表示に対するユーザ入力あるいは設定もしくは選択指示、等に対応する画面表示の遷移を示す。
【０４３２】
図２Ｚが示すフォーラムトップ画面名［００１］は、図１１に示した「フォーラムメニュー」表示（最左列）、「フォーラム一覧＜「Forum List」＞」表示（中央左列）、「フォーラムサブメニュー」表示（中央右列）及び「フォーラム詳細」表示（最右列）を含む。
【０４３３】
図２Ｚにおけるフォーラムトップ画面において、「フォーラムサブメニュー」表示（中央右列）のいずれかのボタン表示から、対応する画面表示を選択できる。
【０４３４】
「ＰＬ」ボタンは、プログラムリスト＜「Program List」＞の表示を指示する。
【０４３５】
「ＰＬ」ボタンをオンすると、応答２−１０１に従い、［２Ａ（図２Ａ）］画面表示（画面名［００１ａ］）が示すように、「フォーラム詳細」表示（最右列）の位置（表示領域）に、プログラムリストを表示する画面表示に遷移する。
【０４３６】
図２Ａ（画面名［００１ａ］）において、応答２−１１０に従いリストされているプログラムの１つを選択すると、［２Ｎ（図２Ｎ）］画面表示（画面名［０２４］）が示す「プログラム詳細」画面表示を表示する。
【０４３７】
「プログラム詳細」画面表示は、録画予約チャンネルを表示するチャンネル表示タブ２−１１２、録画予約時間を表示する録画予約表示タブ２−１１３、コメントを表示するコメント表示タブ２−１１４、画面名［０２４］を閉じる（１つ前の画面に戻る制御信号を入力する）クローズタブ２−１１５、を含む。
【０４３８】
画面名［０２４］において、応答２−１１２に従い、チャンネル表示タブ２−１１２を選択すると、［２Ｌ（図２Ｌ）］画面表示（画面名［０２５］）が示す「アラート」画面表示を表示する。図２Ｌが示す「アラート」画面表示は、ユーザに、予約チャンネルの確認を促す（予約チャンネルに対する同意を求める）。応答２−１１３に従い、同意の意思表示があると、カレンダーサーバ（＜Calender Timer Page＞）２−１１（１０２４）が保持する録画予約が含む「予約チャンネル」が確定する（既に確定されている場合は、そのままオーバーライトする）。
【０４３９】
画面名［０２４］において、応答２−１１５に従い、録画予約表示タブ２−１１３を選択すると、［２Ｍ（図２Ｍ）］画面表示（画面名［０２６］）が示す「アラート」画面表示を表示する。図２Ｍが示す「アラート」画面表示は、ユーザに、録画予約時間の確認を促す（録画予約時間に対する同意を求める）。応答２−１１４に従い、同意の意思表示があると、カレンダーサーバ（「Calender Timer Page」１０２４）が保持する録画予約が含む録画予約時間が確定する（既に確定されている場合、そのままオーバーライトする）。
【０４４０】
画面名［０２４］において、応答２−１１６に従い、コメント表示タブ２−１１４を選択すると、［２Ｋ（図２Ｋ）］画面表示（画面名［０２７］）が示す「コメント入力」画面表示を表示する。図２Ｋが示す「コメント入力」画面表示において入力するコメントは、送信＜Send＞ボタンをオンすることにより、フォーラムに送信される。また、コメント送信後、応答２−１１７に従い、プログラムリスト画面表示（図２Ａ［００１ａ］）の画面表示に戻る。
【０４４１】
画面名［０２４］において、クローズタブ２−１１５を選択すると、応答２−１１１に従い、プログラムリスト画面表示（図２Ａ［００１ａ］）の画面表示に戻る。
【０４４２】
「ＦＤ」ボタンは、フォーラム詳細＜「Forum Detail」＞の表示を指示する。
【０４４３】
「ＦＤ」ボタンをオンすると、応答２−１０２に従い、［２Ｂ（図２Ｂ）］画面表示（画面名［００１ｂ］）が示すように、「フォーラム詳細」表示（最右列）の位置（表示領域）に、「フォーラムメニュー」表示（最左列）のプレビュー画面（ＰｉｎＰ、ピクチャーインピクチャー）に現在表示しているプログラム（番組）に関連するフォーラムの情報（内容）を表示する画面表示に遷移する。
【０４４４】
図２Ｂ（画面名［００１ｂ］）において、応答２−１１８に従い「Invitation」を選択すると、［２Ｊ（図２Ｊ）］画面表示（画面名［０２９］）が示す「メンバーへのメッセージ送信」画面表示を表示する。
【０４４５】
「メンバーへのメッセージ送信」画面表示は、メンバー名（あて先）を入力するあて先欄２−１１９、メッセージ（文字列）が入力可能な文字列入力欄２−１２０、メッセージを送信して画面名［０２９］を閉じ、１つ前の画面に戻る制御信号を入力する送信＜Send＞ボタン／メッセージの送信（入力）を中止する中止＜Cancel＞ボタン、等を含む。
【０４４６】
画面名［０２９］において、あて先欄２−１１９を選択すると、メンバー（あて先）を設定するための［２Ｘ（図２Ｘ）］画面表示（画面名［０１６］）を表示する。図２Ｘが示す「メンバー（あて先）」画面表示は、選択されたユーザへのメッセージの送信を可能とする。なお、あて先欄２−１１９は、応答２−１０８に従うメッセージ送信時においても同様である。また、文字列入力欄２−１２０は、図１５、他において説明したＧＵＩを用いる直接入力（キーボード状入力画面）及び数字（英字）キーによる直接入力が可能である。なお、送信＜Send＞ボタンによるメッセージの送信が終了した場合、あるいは中止＜Cancel＞ボタンによるメッセージの送信の中止時には、応答２−１２１に従い、図２Ｂ（画面名［００１ｂ］）の画面表示に戻る。
【０４４７】
なお、画面名［０２９］において、編集ボタン２−１２２を選択すると、フォーラムの作成や編集が可能に［２Ｙ（図２Ｙ）］画面表示（画面名［０１５］＜「Create new forum」画面＞）を表示する。
【０４４８】
また、画面名［０２９］において、削除ボタン２−１２３を選択すると、フォーラムの削除が指示され、（削除に先立って、）［２Ｉ（図２Ｉ）］画面表示（画面名［０３０］）が示す「アラート（本当に削除しますか？、等）」を表示する。
【０４４９】
「Ｂｏ」ボタンは、メッセージボード＜「Message Board」＞の表示を指示する。
【０４５０】
「Ｂｏ」ボタンをオンすると、応答２−１０３に従い、［２Ｃ（図２Ｃ）］画面表示（画面名［００１ｃ］）が示すように、図３３が説明する［同報メッセージ送信・保管］あるいは図３４が説明する［個人宛メッセージ送信・保管］において利用可能なフォーラムの参加メンバーに対してのメッセージが送信可能な画面表示に遷移する。
【０４５１】
図２Ｃ（画面名［００１ｃ］）において、応答２−１２４に従い「メッセージの送信＜Send Message To Forum members＞を選択すると、特定のメンバーに対するメッセージの送信が可能に、［２Ｆ（図２Ｆ）］画面表示（画面名［０２８］）が示す「メンバーへのメッセージ送信」画面表示を表示する。なお、画面名［０２８］を用いるメンバーへのメッセージ送信については、実質的に、画面名［０１６］を用いるメッセージの送信と同一であるから、詳細な説明を省略する。送信＜Send＞ボタンによるメッセージの送信が終了した場合、あるいは中止＜Cancel＞ボタンによるメッセージの送信の中止時には、応答２−１２５に従い、図２Ｃ（画面名［００１ｃ］）の画面表示に戻る。
【０４５２】
「Ｍｅ」ボタンは、フォーラムメンバーを参照可能なメンバー一覧＜「Member List」＞の表示を指示する。
【０４５３】
「Ｍｅ」ボタンをオンすると、応答２−１０４に従い、［２Ｄ（図２Ｄ）］画面表示（画面名［００１ｄ］）が示すように、メンバー一覧（図２１）を表示する画面表示に遷移する。
【０４５４】
図２Ｄ（画面名［００１ｄ］）において、応答２−１２６に従いメンバーを選択すると、選択２−１に従う登録済みメンバー（友達「Registered Member」）か否かに基づいて、［２Ｇ（図２Ｇ）］画面表示（画面名［０３１］）が示す「新規なメンバーへのメッセージ送信＜「Invitation (Friend Request) Message」＞」画面表示または［２Ｈ（図２Ｈ）］画面表示（画面名［０３２］）が示す登録済み（友達）へのメッセージ送信＜「Message」＞」画面表示を表示する。なお、図２Ｇ（画面名［０３１］）への応答は、応答２−１２７に従い、図２Ｈ（画面名［０３２］）への応答は、応答２−１２８に従う。なお、メッセージ送信については、実質的に、画面名［０１６］を用いるメッセージの送信と同一であるから、詳細な説明を省略する。また、送信＜Send＞ボタンによるメッセージの送信が終了した場合、あるいは中止＜Cancel＞ボタンによるメッセージの送信の中止時には、それぞれ、応答２−１２９もしくは応答２−１３０に従い、図２Ｄ（画面名［００１ｄ］）の画面表示に戻る。
【０４５５】
「ＳＳ」ボタンは、フォーラム購読＜「Subscribe」＞の表示を指示する。
【０４５６】
「ＳＳ」ボタンをオンすると、応答２−１０５に従い、［２Ｅ（図２Ｅ）］画面表示（画面名［００１ｅ］）が示すように、購入しているフォーラム一覧を表示する画面表示に遷移する。
【０４５７】
フォーラム購読時は、図２Ｅ（画面名［００１ｅ］）において、自動録画予約設定＜「Auto Recording Setting」＞ボタン（表示）から、応答２−１５１に従い図３Ｌ（画面名［００５］）が示す自動録画（おまかせ録画）設定画面による１日あたりの録画時間／対象とするチャンネル（放送形態）設定画面を起動する。なお、画面名［００５（図３Ｌ）］からの入力及び設定は、自動録画（おまかせ録画）設定＜「Cloud Auto Record Setting」＞により説明した、と同等であるから詳細な説明を省略する。
【０４５８】
なお、図２Ｚが示すフォーラムトップ画面名［００１］において、応答２−１０６に従い、フォーラム新規作成＜「Create new forum」＞を指示すると、［２Ｐ（図２Ｐ）］が示すフォーラム新規作成＜「Create new forum」＞画面表示（画面名［０１４］）を表示する。このとき、図２Ｐが示す画面表示として、「フォーラム一覧」表示（中央左列）に、「Create new forum」が表示される。なお、「Create new forum」の詳細は、図１２、図１２Ａ、図１２Ｂ及び図１２Ｃに説明する（フォーラム名は２−１４２欄に、フォーラム概要は２−１４１に表示）。
【０４５９】
図２Ｐにおける「Create new forum」ボタンに対する応答２−１０７に従い図２Ｙが起動する。
【０４６０】
図２Ｙは、図２Ｘが示すメンバー選択画面表示（画面名［０１６］）が含むフォーラムメンバーに対し、フォーラム作成のメッセージを送信することができる（応答２−１０９／応答２−１０８）。また、図２Ｙにおける２−１３１欄は、図２Ｑに示すフォーラム検索画面からのキーワードの入力に用いる。なお、図２Ｑが示すキーワード／ジャンルは、図２Ｒが示すキーワード入力画面（応答２−１４６／応答２−１４７）及び図２Ｓが示すジャンル設定画面（応答２−１４８／応答２−１４９）を用いる。
【０４６１】
また、［作成＜「Create」＞］ボタン２−１３２のオン（押下）により、フォーラム作成が完了する。このとき、［２Ｗ（図２Ｗ）］が示す画面表示（画面名［００１ｂに重ねて、［０１８］）が示す、次のプログラムの検索の有無（引き続き、新規に作成するフォーラムの詳細設定を行うか否か）を問う［アラート］画面表示を表示する。以下、応答２−１３４（はい＜Yes＞）に従い［２Ｔ（図２Ｔ）］が示す画面表示（画面名［０１９］）が示すフォーラム詳細設定＜「Forum Detail Setting」＞画面が起動する。
【０４６２】
なお、フォーラム詳細設定＜「Forum Detail Setting」＞の詳細は、図１４、図１４Ａ、図１４Ｂ及び図１４Ｃに説明する（キーワードの設定は、応答２−１４３に従う。チャンネル設定（放送形態）の設定は、応答２−１３６（図３Ｐ参照）に従う。また、応答２−１３５に従い、チャンネル詳細設定（図３Ｑ参照）が可能である）。なお、［２Ｖ（図２Ｖ）］が示す画面表示（画面名［０２０］）は、検索対象とする時間の設定に用いる時間設定画面の例である（図１５、他を参照）。
【０４６３】
ここで、検索結果は、［２Ｕ（図２Ｕ）］が示す画面表示（画面名［０２２］）にて、随時、確認できる（応答２−１３９／応答２−１４０）。
【０４６４】
図４及び図５は、クラウドサービスと接続するテレビ装置における画面表示、及び画面表示に対するユーザ入力あるいは設定もしくは選択指示、等に対応する画面表示の遷移を示す。なお、図４及び図５は、ステート３＜State 3＞と称する、フォーラム購読中のメンバーのテレビ装置における画面表示及びその遷移を示す。
【０４６５】
テレビ装置を起動すると、［５Ａ（図５Ａ）］が示す「ホーム（ステート３）」画面を表示する。なお、図５における［３Ｂ］、［３Ｃ］、［３Ｅ］、［３Ｆ］、［３Ｈ］〜［３Ｎ］及び［３Ｐ］〜［３Ｒ］については、図２及び図３を用いた「ホーム（ステート２）」画面において説明した図面（画面名）と同様であるから、「５−１」〜「５−５」により説明する『選択』を除いて、詳細な説明を省略する。
【０４６６】
図５Ａ（画面名［ホーム（State 3）］）は、図３Ａに示した（画面名［ホーム（State 2）］）の画面表示に比較して、中央左列が「コミュニティ＜「Community」＞」表示すなわちユーザが購読しているフォーラムを表示した起動画面である点が異なる。
【０４６７】
図５Ａにおいて、応答５−１０１に従い「コミュニティ」を選択すると、［５Ｃ（図５Ｃ）］が示すフォーラムトップ画面表示（画面名［００１］）に遷移する。また、応答５−１０２に従い「クラウド設定」を選択すると、図３Ｂに遷移する。
【０４６８】
図５Ｃ（画面名［００１］）において、応答５−１３４は、フォーラム購読の確認画面表示すなわち図３Ｉ（画面名［００２］）が示す「アラート」画面表示を表示する。
【０４６９】
「アラート」画面表示から、応答５−１１７に従い、おまかせ録画（自動録画）に対応したテレビ装置であることを、選択５−１＜Ｙ＞により特定できた場合、自動録画（おまかせ録画）設定＜「Cloud Auto Record Setting」＞のオン／オフの確認画面（画面名［００３］（図３Ｊ））を経て、おまかせ録画（自動録画）の設定が完了しているか否かに基づいて、選択５−２＜Ｙ＞／５−２＜Ｎ＞に従う設定画面に遷移する。なお、選択５−２＜Ｙ＞から応答５−１２０に従い、図３Ｌ（画面名［００５］）に従う１日あたりの録画時間の設定／チャンネル（放送形態）の設定（必要に応じ、選択５−４に従うランキングに基づく録画時間の設定が可能）が終了すると、応答５−１２４に従い、［５Ｄ（図５Ｄ）］が示すフォーラムトップ画面表示（画面名［００１´］）に遷移する。なお、図５Ｄが示すフォーラムトップ画面表示（画面名［００１´］）は、『購読をやめる』ボタン表示を含む点が異なる。
【０４７０】
なお、ユーザがフォーラムメンバーであって、既に購読しているフォーラムに参加中の（画面名［マイページ］画面［５Ｂ（図５Ｂ）］）の画面表示を表示している場合においては、選択５−３＜Ｙ＞に従う応答３−１０６に従い、図３Ｒが示す「Native Auto Recording List」をダウンロードし、表示する（選択５−５は、購読しているフォーラムがあることの確認を促す）。
【０４７１】
図４は、図５Ａが示す「ホーム（ステート３）」画面において、応答５−１０１に従い「コミュニティ」を選択した場合の図５Ｃの画面表示（画面名［００１＜「Forum TOP」＞］）すなわちステート３のォーラムトップ画面表示、及び画面表示に対するユーザ入力あるいは設定もしくは選択指示、等に対応する画面表示の遷移を示す。
【０４７２】
なお、［１Ｆ］、［２Ａ］、［２Ｂ］、［２Ｄ］、［２Ｅ］、［２Ｌ］、［２Ｍ］、［２Ｎ］、［２Ｑ］、［２Ｒ］及び［２Ｓ］については、図２及び図３を用いた「ホーム（ステート２）」画面において説明した図面（画面名）と同様であるから、詳細な説明を省略する。
【０４７３】
上述した実施形態の電子機器（テレビ装置及びサーバ）を用いることで、記録装置毎に、自動録画（向け）お勧めデータ＜Auto Rec Data＞が用意できる。従って、例えばコンテンツの種類（年齢制限の有無）やジャンルに基づいて、記録装置を区分することができる。すなわち、ユーザＡ及びユーザＢが視聴するテレビ装置が一方のフォーラムが提供する自動録画予約に基づいて自動録画予約する番組を記録（録画）し、ユーザＣ及びユーザＢが視聴するテレビ装置が他の一方のフォーラムが提供する自動録画予約に基づいて自動録画予約する番組を記録（録画）するよう、自動録画予約を組み合わせることで、ユーザＢは、それぞれのフォーラムが提案する番組を視聴可能となる。また、ユーザＡは、自身がメンバーであるフォーラムからの提案（情報）に基づいて録画される番組を視聴可能である。同様に、ユーザＣは、自身がメンバーであるフォーラムからの提案（情報）に基づいて録画される番組を視聴可能である。
【０４７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2014136273.tif 000003
【図１Ａ】
2014136273.tif 000004
【図１Ｂ】
2014136273.tif 000005
【図１Ｃ】
2014136273.tif 000006
【図１Ｄ】
2014136273.tif 000007
【図１Ｅ】
2014136273.tif 000008
【図１Ｆ】
2014136273.tif 000009
【図２】
2014136273.tif 000010
【図２Ａ】
2014136273.tif 000011
【図２Ｂ】
2014136273.tif 000012
【図２Ｃ】
2014136273.tif 000013
【図２Ｄ】
2014136273.tif 000014
【図２Ｅ】
2014136273.tif 000015
【図２Ｆ】
2014136273.tif 000016
【図２Ｇ】
2014136273.tif 000017
【図２Ｈ】
2014136273.tif 000018
【図２Ｉ】
2014136273.tif 000019
【図２Ｊ】
2014136273.tif 000020
【図２Ｋ】
2014136273.tif 000021
【図２Ｌ】
2014136273.tif 000022
【図２Ｍ】
2014136273.tif 000023
【図２Ｎ】
2014136273.tif 000024
【図２Ｐ】
2014136273.tif 000025
【図２Ｑ】
2014136273.tif 000026
【図２Ｒ】
2014136273.tif 000027
【図２Ｓ】
2014136273.tif 000028
【図２Ｔ】
2014136273.tif 000029
【図２Ｕ】
2014136273.tif 000030
【図２Ｖ】
2014136273.tif 000031
【図２Ｗ】
2014136273.tif 000032
【図２Ｘ】
2014136273.tif 000033
【図２Ｙ】
2014136273.tif 000034
【図２Ｚ】
2014136273.tif 000035
【図３】
2014136273.tif 000036
【図３Ａ】
2014136273.tif 000037
【図３Ｂ】
2014136273.tif 000038
【図３Ｃ】
2014136273.tif 000039
【図３Ｄ】
2014136273.tif 000040
【図３Ｅ】
2014136273.tif 000041
【図３Ｆ】
2014136273.tif 000042
【図３Ｇ】
2014136273.tif 000043
【図３Ｈ】
2014136273.tif 000044
【図３Ｉ】
2014136273.tif 000045
【図３Ｊ】
2014136273.tif 000046
【図３Ｋ】
2014136273.tif 000047
【図３Ｌ】
2014136273.tif 000048
【図３Ｍ】
2014136273.tif 000049
【図３Ｎ】
2014136273.tif 000050
【図３Ｐ】
2014136273.tif 000051
【図３Ｑ】
2014136273.tif 000052
【図３Ｒ】
2014136273.tif 000053
【図３Ｓ】
2014136273.tif 000054
【図４】
2014136273.tif 000055
【図５】
2014136273.tif 000056
【図５Ａ】
2014136273.tif 000057
【図５Ｂ】
2014136273.tif 000058
【図５Ｃ】
2014136273.tif 000059
【図５Ｄ】
2014136273.tif 000060
【図６】
2014136273.tif 000061
【図７】
2014136273.tif 000062
【図８】
2014136273.tif 000063
【図９】
2014136273.tif 000064
【図１０】
2014136273.tif 000065
【図１１】
2014136273.tif 000066
【図１１Ａ】
2014136273.tif 000067
【図１１Ｂ】
2014136273.tif 000068
【図１２】
2014136273.tif 000069
【図１２Ａ】
2014136273.tif 000070
【図１２Ｂ】
2014136273.tif 000071
【図１２Ｃ】
2014136273.tif 000072
【図１３】
2014136273.tif 000073
【図１３Ａ】
2014136273.tif 000074
【図１３Ｂ】
2014136273.tif 000075
【図１３Ｃ】
2014136273.tif 000076
【図１４】
2014136273.tif 000077
【図１４Ａ】
2014136273.tif 000078
【図１４Ｂ】
2014136273.tif 000079
【図１４Ｃ】
2014136273.tif 000080
【図１５】
2014136273.tif 000081
【図１５Ａ】
2014136273.tif 000082
【図１５Ｂ】
2014136273.tif 000083
【図１５Ｃ】
2014136273.tif 000084
【図１６】
2014136273.tif 000085
【図１６Ａ】
2014136273.tif 000086
【図１６Ｂ】
2014136273.tif 000087
【図１７】
2014136273.tif 000088
【図１７Ａ】
2014136273.tif 000089
【図１７Ｂ】
2014136273.tif 000090
【図１７Ｃ】
2014136273.tif 000091
【図１８】
2014136273.tif 000092
【図１８Ａ】
2014136273.tif 000093
【図１９】
2014136273.tif 000094
【図１９Ａ】
2014136273.tif 000095
【図２０】
2014136273.tif 000096
【図２０Ａ】
2014136273.tif 000097
【図２１】
2014136273.tif 000098
【図２１Ａ】
2014136273.tif 000099
【図２２】
2014136273.tif 000100
【図２２Ａ】
2014136273.tif 000101
【図２３】
2014136273.tif 000102
【図２３Ａ】
2014136273.tif 000103
【図２４】
2014136273.tif 000104
【図２４Ａ】
2014136273.tif 000105
【図２４Ｂ】
2014136273.tif 000106
【図２５】
2014136273.tif 000107
【図２５Ａ】
2014136273.tif 000108
【図２５Ｂ】
2014136273.tif 000109
【図２６】
2014136273.tif 000110
【図２６Ａ】
2014136273.tif 000111
【図２７】
2014136273.tif 000112
【図２８】
2014136273.tif 000113
【図２９】
2014136273.tif 000114
【図３０】
2014136273.tif 000115
【図３１】
2014136273.tif 000116
【図３２】
2014136273.tif 000117
【図３３】
2014136273.tif 000118
【図３４】
2014136273.tif 000119
【図３５】
2014136273.tif 000120
【図３６】
2014136273.tif 000121
【図３７】
2014136273.tif 000122
【図３８】
2014136273.tif 000123
【図３９】
2014136273.tif 000124
【図４０】
2014136273.tif 000125
【図４１】
2014136273.tif 000126
【図４２】
2014136273.tif 000127
【図４３】
2014136273.tif 000128
【図４４】
2014136273.tif 000129
【図４５】
2014136273.tif 000130
【図４６】
2014136273.tif 000131
【図４７】
2014136273.tif 000132
【図４８】
2014136273.tif 000133
【図４９】
2014136273.tif 000134
【図５０】
2014136273.tif 000135
【図５１】
2014136273.tif 000136
【図５２】
2014136273.tif 000137
【図５３】
2014136273.tif 000138
【図５４】
2014136273.tif 000139
【図５５】
2014136273.tif 000140
【図５６】
2014136273.tif 000141
【図５７】
2014136273.tif 000142
【図５８】
2014136273.tif 000143
【図５９】
2014136273.tif 000144
【図６０】
2014136273.tif 000145
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
録画機能を有する第１の機器が提示した検索条件を保持する検索条件保持手段と、
前記検索条件保持部が保持する前記検索条件に基づいてコンテンツを検索する検索手段と、
録画機能を有する第２の機器から、前記第２の機器に設定済みの録画予約に関する予約情報と、前記第２の機器に設定された録画の制約に関する制約条件とを受信する受信手段と、
前記検索手段による検索結果と前記第２の機器からの前記予約情報及び前記制約条件とに基づいたコンテンツリストを、前記第２の機器による前記自動録画のための予約リストとして取得可能に保持するリスト保持手段と、
を具備する電子機器。
【請求項２】
前記検索手段は、前記検索条件保持手段が保持する前記検索条件に基づいて、対象となるコンテンツを検索する請求項１の電子機器。
【請求項３】
前記制約条件は、前記コンテンツを提供する事業体種別、前記コンテンツが提供される時間帯、１日あたりで前記コンテンツを録画可能な録画可能時間、番組の数、のうち何れかの組み合わせに基づいて設定する請求項２の電子機器。
【請求項４】
前記制約条件は、前記電子機器に固有の設定を優先する請求項２の電子機器。
【請求項５】
前記検索条件と関連のある情報の集合体が前記検索条件に基づき推奨する録画対象コンテンツリストを保持する対象リスト保持手段をさらに具備する請求項１の電子機器。
【請求項６】
前記コンテンツリストは、前記情報の集合体が２以上である場合の前記情報の集合体に対する優先度に基づいて設定する請求項５の電子機器。
【請求項７】
前記検索条件保持手段は、前記情報の集合体のマスタユーザがログインした前記第１の機器により設定された前記検索条件を保持し、
前記受信手段は、前記情報の集合体に登録したユーザがログインした前記第２の機器から、前記予約情報と、前記制約条件とを受信するする請求項５の電子機器。
【請求項８】
録画機能を有する第１の機器が提示した検索条件を保持し、
検索条件に基づいてコンテンツを検索し、
録画機能を有する第２の機器から、第２の機器に設定済みの録画予約に関する予約情報と、第２の機器に設定された録画の制約に関する制約条件とを受信し、
検索結果、第２の機器からの予約情報及び制約条件に基づいたコンテンツリストを、第２の機器による自動録画のための予約リストとして取得可能に保持する
情報配信システム。
【請求項９】
録画機能を有する第１の機器が提示した検索条件を保持し、
検索条件に基づいてコンテンツを検索し、
録画機能を有する第２の機器から、第２の機器に設定済みの録画予約に関する予約情報と、第２の機器に設定された録画の制約に関する制約条件とを受信し、
検索結果、第２の機器からの予約情報及び制約条件に基づいたコンテンツリストを、第２の機器による自動録画のための予約リストとして取得可能に保持する
情報配信方法。
【請求項１０】
録画機能を有する第１の機器が提示した検索条件を保持し、
検索条件に基づいてコンテンツを検索し、
録画機能を有する第２の機器から、第２の機器に設定済みの録画予約に関する予約情報と、第２の機器に設定された録画の制約に関する制約条件とを受信し、
検索結果、第２の機器からの予約情報及び制約条件に基づいたコンテンツリストを、第２の機器による自動録画のための予約リストとして取得可能に保持する
情報配信プログラム。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
マスタユーザからの操作入力に従って複数のコンテンツを選択し、該複数のコンテンツを再生対象又は録画対象として指定したコンテンツリストを生成し、当該コンテンツリストを含む、情報の集合体をネットワークに公開する公開手段と、
前記集合体に対するユーザの登録を受け付ける登録手段と、
前記集合体に登録されたユーザが使用する機器に対して、前記コンテンツリストに含まれる複数のコンテンツの少なくとも一部を含む複数のコンテンツを指定したリストを、前記機器での再生対象又は録画対象のコンテンツのリストとして送信するリスト送信手段と、
を備える情報配信システム。
【請求項２】
前記公開手段は、前記集合体に登録されたユーザの数、前記集合体を作成した前記マスタユーザの名称、のうち少なくとも一方を前記集合体に関する情報として前記ネットワークに公開する、請求項１に記載の情報配信システム。
【請求項３】
前記公開手段は、前記集合体に登録されたユーザからの前記集合体に対する操作入力に応じて、当該ユーザに入力されたメッセージを前記集合体に投稿し、当該メッセージを前記集合体に関する情報として前記ネットワークに公開する、請求項１又は２に記載の情報配信システム。
【請求項４】
前記集合体に登録したユーザからの操作入力に応じて、当該集合体に登録していないユーザに対し、当該集合体への登録を促す招待メッセージを送信する第１メッセージ手段を備える、請求項１乃至３の何れか一項に記載の情報配信システム。
【請求項５】
前記集合体に登録したユーザからの操作入力に応じて、同一の集合体に登録したユーザに対して、前記操作入力により入力されたメッセージを送信する第２メッセージ手段を備える、請求項１乃至４の何れか一項に記載の情報配信システム。
【請求項６】
前記マスタユーザからの操作入力に従って前記集合体を削除した場合に、当該集合体に登録されたユーザに対してメッセージを送信する第３メッセージ手段を備える、請求項１乃至５の何れか一項に記載の情報配信システム。
【請求項７】
マスタユーザからの操作入力により前記集合体を作成する場合に当該マスタユーザからの操作入力に従って複数のユーザを選択し、前記集合体を前記ネットワークに公開する際に、当該複数ユーザに対して招待メッセージを送信する第４メッセージ手段を備える、請求項１乃至６の何れか一項に記載の情報配信システム。
【請求項８】
前記登録手段は、ユーザからの操作入力に従って、当該ユーザを複数の前記集合体に登録し、
前記リスト送信手段は、前記複数の集合体が夫々有する前記コンテンツリストに基づいた１つのコンテンツリストを、前記あるユーザが使用する機器に送信する、請求項１乃至７の何れか一項に記載の情報配信システム。
【請求項９】
前記あるユーザが使用する機器から、前記複数の集合体の優先度に関する優先度情報を受信する受信手段を更に備え、
前記リスト送信手段は、前記優先度情報に基づいた前記１つのコンテンツリストを送信する、請求項８に記載の情報配信システム。
【請求項１０】
前記優先度情報は前記機器単位で設定された情報である、請求項９に記載の情報配信システム。
【請求項１１】
前記リスト送信手段は、第１の集合体に登録された第１のユーザと、第２の集合体に登録された第２のユーザと、が使用する１つの機器に、前記第１及び第２の集合体が夫々有する前記コンテンツリストに基づいた１つのコンテンツリストを送信する、請求項１乃至１０の何れか一項に記載の情報配信システム。
【請求項１２】
前記ユーザが使用する機器は、前記ユーザのアカウントが登録された機器である、請求項１乃至１１の何れか一項に記載の情報配信システム。
【請求項１３】
マスタユーザからの操作入力に従って複数のコンテンツを選択し、該複数のコンテンツを再生対象又は録画対象として指定したコンテンツリストを生成し、当該コンテンツリストを含む、情報の集合体をネットワークに公開し、
前記集合体に対するユーザの登録を受け付け、
前記集合体に登録されたユーザが使用する機器に対して、前記コンテンツリストに含まれる複数のコンテンツの少なくとも一部を含む複数のコンテンツを指定したリストを、前記機器での再生対象又は録画対象のコンテンツのリストとして送信する情報配信方法。
【請求項１４】
前記公開手段は、前記集合体に登録されたユーザの数、前記集合体を作成した前記マスタユーザの名称、のうち少なくとも一方を前記集合体に関する情報として前記ネットワークに公開する、請求項１３に記載の情報配信方法。
【請求項１５】
前記集合体に登録されたユーザからの前記集合体に対する操作入力に応じて、当該ユーザに入力されたメッセージを前記集合体に投稿し、当該メッセージを前記集合体に関する情報として前記ネットワークに公開する、請求項１３又は１４に記載の情報配信方法。
【請求項１６】
前記集合体に登録したユーザからの操作入力に応じて、当該集合体に登録していないユーザに対し、当該集合体への登録を促す招待メッセージを送信する、請求項１３乃至１５の何れか一項に記載の情報配信方法。
【請求項１７】
前記集合体に登録したユーザからの操作入力に応じて、同一の集合体に登録したユーザに対して、前記操作入力により入力されたメッセージを送信する、請求項１３乃至１６の何れか一項に記載の情報配信方法。
【請求項１８】
前記マスタユーザからの操作入力に従って前記集合体を削除した場合に、当該集合体に登録されたユーザに対してメッセージを送信する、請求項１３乃至１７の何れか一項に記載の情報配信方法。
【請求項１９】
マスタユーザからの操作入力により前記集合体を作成する場合に当該マスタユーザからの操作入力に従って複数のユーザを選択し、前記集合体を前記ネットワークに公開する際に、当該複数ユーザに対して招待メッセージを送信する、請求項１３乃至１８の何れか一項に記載の情報配信方法。
【請求項２０】
ユーザからの操作入力に従って、当該ユーザを複数の前記集合体に登録し、
前記複数の集合体が夫々有する前記コンテンツリストに基づいた１つのコンテンツリストを、前記あるユーザが使用する機器に送信する、請求項１３乃至１９の何れか一項に記載の情報配信方法。
【請求項２１】
前記あるユーザが使用する機器から、前記複数の集合体の優先度に関する優先度情報を更に受信し、
前記優先度情報に基づいた前記１つのコンテンツリストを送信する、請求項２０に記載の情報配信方法。
【請求項２２】
前記優先度情報は前記機器単位で設定された情報である、請求項２１に記載の情報配信方法。
【請求項２３】
第１の集合体に登録された第１のユーザと、第２の集合体に登録された第２のユーザとが使用する１つの機器に、前記第１及び第２の集合体が夫々有する前記コンテンツリストに基づいた１つのコンテンツリストを送信する、請求項１３乃至２２の何れか一項に記載の情報配信方法。
【請求項２４】
前記ユーザが使用する機器は、前記ユーザのアカウントが登録された機器である、請求項１３乃至２３の何れか一項に記載の情報配信方法。
【手続補正３】
【補正対象書類名】明細書
【補正対象項目名】０００９
【補正方法】変更
【補正の内容】
【０００９】
実施形態の情報配信システムは、マスタユーザからの操作入力に従って複数のコンテンツを選択し、該複数のコンテンツを再生対象又は録画対象として指定したコンテンツリストを生成し、当該コンテンツリストを含む、情報の集合体をネットワークに公開する公開手段と、前記集合体に対するユーザの登録を受け付ける登録手段と、前記集合体に登録されたユーザが使用する機器に対して、前記コンテンツリストに含まれる複数のコンテンツの少なくとも一部を含む複数のコンテンツを指定したリストを、前記機器での再生対象又は録画対象のコンテンツのリストとして送信するリスト送信手段と、を備える。
【国際調査報告】
2014136273.tif 000146
2014136273.tif 000147
2014136273.tif 000148
2014136273.tif 000149
2014136273.tif 000150
2014136273.tif 000151
2014136273.tif 000152